(57)【要約】  システムフレーム番号（ＳＦＮ）フレーム時間差（ＳＦＴＤ）報告のためのシステムおよび方法が開示される。ユーザ機器（ＵＥ）の１次セル（ＰＣｅｌｌ）と１つまたは複数の他のセルとの間のＳＦＴＤ測定を実施するための無線ネットワーク中のＵＥの動作の方法の実施形態が提供される。いくつかの実施形態では、本方法は、無線ネットワーク中のネットワークノードから、ＵＥがＳＦＴＤ測定を報告することができるセルのリストを受信することを含む。本方法は、ＳＦＴＤ測定を実施することと、ＵＥがＳＦＴＤ測定を報告することができるセルのリストに従って、ＳＦＴＤ測定を報告することとをさらに含む。このようにして、ＳＦＴＤ報告は効率的な様式で提供される。【選択図】図２
2021514160.tif 000002
【特許請求の範囲】
【請求項１】
ユーザ機器（ＵＥ）の１次セル（ＰＣｅｌｌ）と１つまたは複数の他のセルとの間のシステムフレーム番号（ＳＦＮ）フレーム時間差（ＳＦＴＤ）測定を実施するための無線ネットワーク中の前記ＵＥの動作の方法であって、前記方法は、
前記無線ネットワーク中のネットワークノードから、前記ＵＥがＳＦＴＤ測定を報告することができるセルのリストを受信すること（２００）と、
ＳＦＴＤ測定を実施すること（２０２）と、
前記ＵＥがＳＦＴＤ測定を報告することができるセルの前記リストに従って、前記ＳＦＴＤ測定を報告すること（２０４）と
を含む、方法。
【請求項２】
ＳＦＴＤ測定を実施することが、前記ＵＥの前記ＰＣｅｌｌと第２のセルとの間のＳＦＴＤ測定を実施することを含み、前記第２のセルは、前記ＵＥがＳＦＴＤ測定を報告することができるセルの前記リスト中のセルであり、
前記ＵＥがＳＦＴＤ測定を報告することができるセルの前記リストに従って、前記ＳＦＴＤ測定を報告することが、前記ネットワークノードに前記ＳＦＴＤ測定を報告することを含む、
請求項１に記載の方法。
【請求項３】
セルの前記リストが１つまたは複数の新無線（ＮＲ）セルを含む、請求項１または２に記載の方法。
【請求項４】
前記ＰＣｅｌｌがＬｏｎｇ  Ｔｅｒｍ  Ｅｖｏｌｕｔｉｏｎ（ＬＴＥ）セルである、請求項３に記載の方法。
【請求項５】
前記ＵＥがＳＦＴＤ測定を報告することができるセルの前記リストに従って、前記ＳＦＴＤ測定を報告することは、
ＮＲセルが前記ＵＥの１次２次セル（ＰＳＣｅｌｌ）として設定されないとき、前記ＵＥがＳＦＴＤ測定を報告することができるセルの前記リストに従って、前記ＳＦＴＤ測定を報告すること
を含む、請求項３または４に記載の方法。
【請求項６】
ＮＲセルが前記ＵＥのためのＰＳＣｅｌｌとして設定されるとき、
前記ＵＥの前記ＰＣｅｌｌと前記ＮＲ  ＰＳＣｅｌｌとの間のＳＦＴＤ測定を実施することと、
前記ＵＥの前記ＰＣｅｌｌと前記ＮＲ  ＰＳＣｅｌｌとの間の前記ＳＦＴＤ測定を報告することと
をさらに含む、請求項５に記載の方法。
【請求項７】
前記ＵＥがＳＦＴＤ測定を報告することができるセルの前記リストを受信することは、前記ＵＥがＳＦＴＤ測定を報告することができるセルの前記リストを含む、無線リソース制御（ＲＲＣ）接続再設定メッセージを受信すること、または、前記ＵＥがＳＦＴＤ測定を報告することができるセルの前記リストを含む、ＲＲＣ接続再開メッセージを受信することを含む、請求項１から６のいずれか一項に記載の方法。
【請求項８】
無線ネットワーク中のユーザ機器（ＵＥ）の１次セル（ＰＣｅｌｌ）と１つまたは複数の他のセルとの間のシステムフレーム番号（ＳＦＮ）フレーム時間差（ＳＦＴＤ）測定を実施するユーザ機器（ＵＥ）であって、前記ＵＥは、
前記無線ネットワーク中のネットワークノードから、前記ＵＥがＳＦＴＤ測定を報告することができるセルのリストを受信することと、
ＳＦＴＤ測定を実施することと、
前記ＵＥがＳＦＴＤ測定を報告することができるセルの前記リストに従って、前記ＳＦＴＤ測定を報告することと
を行うように適応された、ユーザ機器（ＵＥ）。
【請求項９】
前記ＵＥが、請求項２から７のいずれか１つに記載の方法を実施するようにさらに適応された、請求項８に記載のＵＥ。
【請求項１０】
無線ネットワーク中のユーザ機器（ＵＥ）の１次セル（ＰＣｅｌｌ）と１つまたは複数の他のセルとの間のシステムフレーム番号（ＳＦＮ）フレーム時間差（ＳＦＴＤ）測定を実施するユーザ機器（ＵＥ）であって、前記ＵＥは、
無線フロントエンド回路要素を備えるインターフェースと、
前記インターフェースに関連付けられた処理回路要素であって、前記処理回路要素は、前記ＵＥに、
前記無線ネットワーク中のネットワークノードから、前記ＵＥがＳＦＴＤ測定を報告することができるセルのリストを受信することと、
ＳＦＴＤ測定を実施することと、
前記ＵＥがＳＦＴＤ測定を報告することができるセルの前記リストに従って、前記ＳＦＴＤ測定を報告することと
を行わせるように動作可能である、処理回路要素と
を備える、ユーザ機器（ＵＥ）。
【請求項１１】
前記ＳＦＴＤ測定が、前記ＵＥの前記ＰＣｅｌｌと第２のセルとの間のＳＦＴＤ測定を含み、前記第２のセルは、前記ＵＥがＳＦＴＤ測定を報告することができるセルの前記リスト中のセルである、請求項１０に記載のＵＥ。
【請求項１２】
セルの前記リストが１つまたは複数の新無線（ＮＲ）セルを含む、請求項１０または１１に記載のＵＥ。
【請求項１３】
前記ＰＣｅｌｌがＬｏｎｇ  Ｔｅｒｍ  Ｅｖｏｌｕｔｉｏｎ（ＬＴＥ）セルである、請求項１２に記載のＵＥ。
【請求項１４】
前記ＵＥがＳＦＴＤ測定を報告することができるセルの前記リストに従って、前記ＳＦＴＤ測定を報告するために、前記処理回路要素は、前記ＵＥに、
ＮＲセルが前記ＵＥの１次２次セル（ＰＳＣｅｌｌ）として設定されないとき、前記ＵＥがＳＦＴＤ測定を報告することができるセルの前記リストに従って、前記ＳＦＴＤ測定を報告すること
を行わせるようにさらに設定された、請求項１２または１３に記載のＵＥ。
【請求項１５】
前記処理回路要素は、ＮＲセルが前記ＵＥのためのＰＳＣｅｌｌとして設定されるとき、前記ＵＥに、
前記ＵＥの前記ＰＣｅｌｌと前記ＮＲ  ＰＳＣｅｌｌとの間のＳＦＴＤ測定を実施することと、
前記ＵＥの前記ＰＣｅｌｌと前記ＮＲ  ＰＳＣｅｌｌとの間の前記ＳＦＴＤ測定を報告することと
を行わせるようにさらに設定された、請求項１４に記載のＵＥ。
【請求項１６】
前記ＵＥがＳＦＴＤ測定を報告することができるセルの前記リストを受信するために、前記処理回路要素は、前記ＵＥに、前記ＵＥがＳＦＴＤ測定を報告することができるセルの前記リストを含む、無線リソース制御（ＲＲＣ）接続再設定メッセージを受信すること、または、前記ＵＥがＳＦＴＤ測定を報告することができるセルの前記リストを含む、ＲＲＣ接続再開メッセージを受信することを行わせるようにさらに設定された、請求項１０から１５のいずれか一項に記載のＵＥ。
【発明の詳細な説明】
【技術分野】
【０００１】
関連出願
本出願は、その開示全体が参照により本明細書に組み込まれる、２０１８年２月２０日に出願された仮特許出願第６２／６３２，８６１号の利益を主張する。
【０００２】
本開示は、無線ネットワークに関し、より詳細には、セルラー通信ネットワークにおけるシステムフレーム番号（ＳＦＮ：Ｓｙｓｔｅｍ  Ｆｒａｍｅ  Ｎｕｍｂｅｒ）フレーム時間差（ＳＦＴＤ：ＳＦＮ  Ｆｒａｍｅ  Ｔｉｍｅ  Ｄｉｆｆｅｒｅｎｃｅ）報告および自動近隣関係（ＡＮＲ：Ａｕｔｏｍａｔｉｃ  Ｎｅｉｇｈｂｏｒ  Ｒｅｌａｔｉｏｎｓ）報告に関する。
【背景技術】
【０００３】
新無線（Ｎｅｗ  Ｒａｄｉｏ：ＮＲ）における報告設定
ＮＲのための拡張ユニバーサル地上無線アクセスネットワーク（Ｅ−ＵＴＲＡＮ）デュアルコネクティビティ（ＥＮ−ＤＣ）の必須の報告設定が、第３世代パートナーシッププロジェクト（３ＧＰＰ）ＲＡＮ２フォーラムにおいてすでに合意されており、無線リソース制御（ＲＲＣ）仕様にも取り込まれている（３ＧＰＰ技術仕様（ＴＳ）３８．３３１  ｖ１５．０．１参照）。これらの報告設定に基づいて、ネットワークは、周期的にまたはいくつかのイベントトリガに基づいて報告するように、ユーザ機器（ＵＥ）を設定することができる。現在、規格化されたイベントトリガは、Ｌｏｎｇ  Ｔｅｒｍ  Ｅｖｏｌｕｔｉｏｎ（ＬＴＥ）同様のイベント、すなわち、Ａ１〜Ａ６イベントに基づく。イベントトリガ型および周期的リポートトリガリングに加えて、自動近隣関係（ＡＮＲ）特有の目的で使用される、「ｒｅｐｏｒｔＣＧＩ」のためのプレースホルダー（ｐｌａｃｅ  ｈｏｌｄｅｒ）もある。報告設定は、３ＧＰＰ  ＴＳ３８．３１１  ｖ１５．０．１からの以下の抜粋において説明される、情報エレメントＲｅｐｏｒｔＣｏｎｆｉｇＮＲ中で提供される。
********************************************************************************
ＲｅｐｏｒｔＣｏｎｆｉｇＮＲ
ＩＥ  ＲｅｐｏｒｔＣｏｎｆｉｇＮＲが、ＮＲ測定報告イベントのトリガリングのための基準を指定する。測定報告イベントは、ＳＳ／ＰＢＣＨブロックまたはＣＳＩ−ＲＳのいずれかに基づいて導出され得る、セル測定結果に基づく。これらのイベントは、ＡＮと標示され、Ｎは、１、２などに等しい。
イベントＡ１：  サービングが絶対しきい値よりも良くなる、
イベントＡ２：  サービングが絶対しきい値よりも悪くなる、
イベントＡ３：  近隣がＰＣｅｌｌ／ＰＳＣｅｌｌよりもオフセットの量だけ良くなる、
イベントＡ４：  近隣が絶対しきい値よりも良くなる、
イベントＡ５：  ＰＣｅｌｌ／ＰＳＣｅｌｌが絶対しきい値１よりも悪くなり、近隣が別の絶対しきい値２よりも良くなる。
イベントＡ６：  近隣がＳＣｅｌｌよりもオフセットの量だけ良くなる。
2021514160.tif 000003
2021514160.tif 000004
2021514160.tif 000005
【０００４】
ＬＴＥおよびＮＲにおけるＡＮＲ機構
ＬＴＥの導入とともに、ＡＮＲのサポートが導入され、これは、近隣関係をセットアップするためにオペレータによって行われる手動設定作業を除去したか、または著しく減少させた。ＬＴＥにおけるＡＮＲ機能は、システム情報の常時オン送信に依拠し、ＵＥが、ＡＮＲソリューションの一部として、任意の知られていない近隣セルの拡張セルグローバル識別情報（ＥＣＧＩ：Ｅｎｈａｎｃｅｄ  Ｃｅｌｌ  Ｇｌｏｂａｌ  Ｉｄｅｎｔｉｔｙ）を検索することを可能にする。
【０００５】
プロシージャが図１に示されている。ステップ１において、ＵＥは、サービング拡張またはエボルブドノードＢ（ｅＮＢ）に測定リポートを送る。測定リポートは、セルＢの物理セル識別情報（ＰＣＩ）を含んでいる。ｅＮＢは、次いで、ＵＥに、セルＢのＥＣＧＩ、トラッキングエリアコード（ＴＡＣ）、およびすべての利用可能な（１つまたは複数の）パブリックランドモバイルネットワーク（ＰＬＭＮ）識別情報（ＩＤ）を読み取るように命令する。近隣セルは、システム情報ブロック１（ＳＩＢ１）メッセージ中で、近隣セルのＰＬＭＮ  ＩＤ、ＴＡＣなどをブロードキャストする。これらの値を測定した後に、ＵＥは、サービングｅＮＢに、検出されたＥＣＧＩを報告し、ｅＮＢはこの近隣関係を追加することを決める。ｅＮＢは、ＰＣＩおよびＥＣＧＩを使用して、新しいｅＮＢに対するトランスポートレイヤアドレスをルックアップし、近隣関係リストを更新し、必要な場合、このｅＮＢに向かう新しいＸ２インターフェースをセットアップすることができる。
【０００６】
第５世代モバイルネットワークのための第１の標準リリース（すなわち、ＮＲのための第１の標準リリース）は、非スタンドアロン（ＮＳＡ：ｎｏｎ−ｓｔａｎｄａｌｏｎｅ）ＮＲネットワークのためのものであり、ＮＲキャリアの追加とともに既存のＬＴＥ無線およびエボルブドパケットコア（ＥＰＣ）ネットワークを利用する。ＮＳＡ  ＮＲノードは、常にＬＴＥノードをマスタノードとして有し、システム情報は、ＵＥが、ＮＲではキャンピングしないので、ＮＲでは送信される必要がない。ＵＥがＡＮＲプロシージャを援助するために、ＮＲの報告設定は、知られていない近隣セルのＣＧＩを報告するためのプレースホルダーをすでに有する。プレースホルダーは「ｒｅｐｏｒｔＣＧＩ」と呼ばれる。しかしながら、そのような報告設定をどのように設定すべきかの詳細は、まだ確定されていない。
【０００７】
単一周波数ネットワーク（ＳＦＮ：Ｓｉｎｇｌｅ  Ｆｒｅｑｕｅｎｃｙ  Ｎｅｔｗｏｒｋ）−フレーム時間差（ＳＦＴＤ：ＳＦＮ  Ｆｒａｍｅ  Ｔｉｍｅ  Ｄｉｆｆｅｒｅｎｃｅ）報告
ＬＴＥでは、１次セル（ＰＣｅｌｌ）と１次２次セル（ＰＳＣｅｌｌ）との間の時間差を得るために、ＳＦＮおよびサブフレーム時間差（ＳＳＴＤ：ＳＦＮ  ａｎｄ  Ｓｕｂｆｒａｍｅ  Ｔｉｍｅ  Ｄｉｆｆｅｒｅｎｃｅ）測定設定が使用された。リリース１５では、ＥＮ−ＤＣの目的で、ＳＦＴＤ測定はマスタｅＮＢ（ＭｅＮＢ）によって設定され得、ＭｅＮＢによって受信されたリポートは、両方のノードが互いの間の時間差に気づいているように、２次ｇＮＢ（ＳｇＮＢ）（ここで「ｇＮＢ」はＮＲ基地局を示す）にフォワーディングされることが合意された。さらに、ＳＳＴＤ測定報告は、ＰＳＣｅｌｌが設定されない場合、設定されていないセルに対して拡張されることが合意された。これは、ネットワークが、関連する同期信号測定タイミング設定（ＳＭＴＣ：Ｓｙｎｃ  ｓｉｇｎａｌ  Ｍｅａｓｕｒｅｍｅｎｔ  Ｔｉｍｉｎｇ  Ｃｏｎｆｉｇｕｒａｔｉｏｎ）ウィンドウを設定することを援助する際に有用である。
2021514160.tif 000006
【０００８】
現在、いくつかの課題が存在する。ＮＲの既存の報告設定では、ＣＧＩを報告するためのプレースホルダーがある。しかしながら、この設定の詳細は、これから規格化されることになっている。さらに、ＳＦＴＤ報告設定はＮＲにおいて議論中であり、この設定の詳細はまだ指定されていない。
【発明の概要】
【０００９】
システムフレーム番号（ＳＦＮ）フレーム時間差（ＳＦＴＤ）報告のためのシステムおよび方法が開示される。ユーザ機器（ＵＥ）の１次セル（ＰＣｅｌｌ）と１つまたは複数の他のセルとの間のＳＦＴＤ測定を実施するための無線ネットワーク中のＵＥの動作の方法の実施形態が提供される。いくつかの実施形態では、本方法は、無線ネットワーク中のネットワークノードから、ＵＥがＳＦＴＤ測定を報告することができるセルのリストを受信することを含む。本方法は、ＳＦＴＤ測定を実施することと、ＵＥがＳＦＴＤ測定を報告することができるセルのリストに従って、ＳＦＴＤ測定を報告することとをさらに含む。このようにして、ＳＦＴＤ報告は効率的な様式で提供される。
【００１０】
いくつかの実施形態では、ＳＦＴＤ測定を実施することは、ＵＥのＰＣｅｌｌと第２のセルとの間のＳＦＴＤ測定を実施することを含み、第２のセルは、ＵＥがＳＦＴＤ測定を報告することができるセルのリスト中のセルである。さらに、ＵＥがＳＦＴＤ測定を報告することができるセルのリストに従って、ＳＦＴＤ測定を報告することは、ネットワークノードにＳＦＴＤ測定を報告することを含む。
【００１１】
いくつかの実施形態では、セルのリストは１つまたは複数の新無線（ＮＲ）セルを含む。さらに、いくつかの実施形態では、ＰＣｅｌｌはＬｏｎｇ  Ｔｅｒｍ  Ｅｖｏｌｕｔｉｏｎ（ＬＴＥ）セルである。いくつかの実施形態では、ＵＥがＳＦＴＤ測定を報告することができるセルのリストに従って、ＳＦＴＤ測定を報告することは、ＮＲセルがＵＥの１次２次セル（ＰＳＣｅｌｌ）として設定されないとき、ＵＥがＳＦＴＤ測定を報告することができるセルのリストに従って、ＳＦＴＤ測定を報告することを含む。いくつかの実施形態では、本方法は、ＮＲセルがＵＥのためのＰＳＣｅｌｌとして設定されるとき、ＵＥのＰＣｅｌｌとＮＲ  ＰＳＣｅｌｌとの間のＳＦＴＤ測定を実施することと、ＵＥのＰＣｅｌｌとＮＲ  ＰＳＣｅｌｌとの間のＳＦＴＤ測定を報告することとをさらに含む。
【００１２】
いくつかの実施形態では、ＵＥがＳＦＴＤ測定を報告することができるセルのリストを受信することは、ＵＥがＳＦＴＤ測定を報告することができるセルのリストを含む、無線リソース制御（ＲＲＣ）接続再設定メッセージを受信すること、または、ＵＥがＳＦＴＤ測定を報告することができるセルのリストを含む、ＲＲＣ接続再開メッセージを受信することを含む。
【００１３】
ＵＥの実施形態も開示される。いくつかの実施形態では、無線ネットワーク中のＵＥのＰＣｅｌｌと１つまたは複数の他のセルとの間のＳＦＴＤ測定を実施するためのＵＥは、無線ネットワーク中のネットワークノードから、ＵＥがＳＦＴＤ測定を報告することができるセルのリストを受信するように適応される。ＵＥは、ＳＦＴＤ測定を実施することと、ＵＥがＳＦＴＤ測定を報告することができるセルのリストに従って、ＳＦＴＤ測定を報告することとを行うようにさらに適応される。
【００１４】
いくつかの実施形態では、無線ネットワーク中のＵＥのＰＣｅｌｌと１つまたは複数の他のセルとの間のＳＦＴＤ測定を実施するためのＵＥは、無線フロントエンド回路要素を備えるインターフェースと、インターフェースに関連付けられた処理回路要素とを備える。処理回路要素は、ＵＥに、無線ネットワーク中のネットワークノードから、ＵＥがＳＦＴＤ測定を報告することができるセルのリストを受信することと、ＳＦＴＤ測定を実施することと、ＵＥがＳＦＴＤ測定を報告することができるセルのリストに従って、ＳＦＴＤ測定を報告することとを行わせるように動作可能である。
【００１５】
いくつかの実施形態では、ＳＦＴＤ測定は、ＵＥのＰＣｅｌｌと第２のセルとの間のＳＦＴＤ測定を含み、第２のセルは、ＵＥがＳＦＴＤ測定を報告することができるセルのリスト中のセルである。
【００１６】
いくつかの実施形態では、セルのリストは１つまたは複数のＮＲセルを含む。さらに、いくつかの実施形態では、ＰＣｅｌｌはＬＴＥセルである。いくつかの実施形態では、ＵＥがＳＦＴＤ測定を報告することができるセルのリストに従って、ＳＦＴＤ測定を報告するために、処理回路要素は、ＵＥに、ＮＲセルがＵＥのＰＳＣｅｌｌとして設定されないとき、ＵＥがＳＦＴＤ測定を報告することができるセルのリストに従って、ＳＦＴＤ測定を報告することを行わせるようにさらに設定される。さらに、いくつかの実施形態では、処理回路要素は、ＮＲセルがＵＥのためのＰＳＣｅｌｌとして設定されるとき、ＵＥに、ＵＥのＰＣｅｌｌとＮＲ  ＰＳＣｅｌｌとの間のＳＦＴＤ測定を実施することと、ＵＥのＰＣｅｌｌとＮＲ  ＰＳＣｅｌｌとの間のＳＦＴＤ測定を報告することとを行わせるようにさらに設定される。
【００１７】
いくつかの実施形態では、ＵＥがＳＦＴＤ測定を報告することができるセルのリストを受信するために、処理回路要素は、ＵＥに、ＵＥがＳＦＴＤ測定を報告することができるセルのリストを含む、ＲＲＣ接続再設定メッセージを受信すること、または、ＵＥがＳＦＴＤ測定を報告することができるセルのリストを含む、ＲＲＣ接続再開メッセージを受信することを行わせるようにさらに設定される。
【００１８】
本明細書に組み込まれ、本明細書の一部をなす添付の図面は、本開示のいくつかの態様を示し、説明とともに本開示の原理について解説するように働く。
【図面の簡単な説明】
【００１９】
【図１】自動近隣関係（ＡＮＲ）プロシージャを示す図である。
【図２】本開示のいくつかの実施形態による、ユーザ機器（ＵＥ）が、ネットワークノードによって、ＵＥが単一周波数ネットワーク（ＳＦＮ）−フレーム時間差（ＳＦＴＤ）測定を報告することができるセルのリストで設定される、プロセスを示す図である。
【図３】本開示の実施形態が実装され得る無線ネットワークの一例を示す図である。
【図４】本明細書で説明される様々な態様による、ＵＥの一実施形態を示す図である。
【図５】いくつかの実施形態によって実装される機能が仮想化され得る、仮想化環境を示す概略ブロック図である。
【図６】本開示の実施形態が実装され得る通信システムの一例を示す図である。
【図７】本開示のいくつかの実施形態による、図６の通信システムにおけるホストコンピュータ、基地局、およびＵＥに関する追加の詳細を示す図である。
【図８】本開示のいくつかの実施形態による、通信システムにおいて実装される方法を示すフローチャートである。
【図９】本開示のいくつかの実施形態による、通信システムにおいて実装される方法を示すフローチャートである。
【図１０】本開示のいくつかの実施形態による、通信システムにおいて実装される方法を示すフローチャートである。
【図１１】本開示のいくつかの実施形態による、通信システムにおいて実装される方法を示すフローチャートである。
【発明を実施するための形態】
【００２０】
以下に記載される実施形態は、当業者が本実施形態を実践することができるようにするための情報を表し、本実施形態を実践する最良の様式を示す。添付の図面に照らして以下の説明を読むと、当業者は、本開示の概念を理解し、本明細書では特に扱われないこれらの概念の適用例を認識されよう。これらの概念および適用例は、本開示の範囲内に入ることを理解されたい。
【００２１】
概して、本明細書で使用されるすべての用語は、異なる意味が、明確に与えられ、および／またはその用語が使用されるコンテキストから暗示されない限り、関連する技術分野における、それらの用語の通常の意味に従って解釈されるべきである。１つの（ａ／ａｎ）／その（ｔｈｅ）エレメント、装置、構成要素、手段、ステップなどへのすべての言及は、別段明示的に述べられていない限り、そのエレメント、装置、構成要素、手段、ステップなどの少なくとも１つの事例に言及しているものとしてオープンに解釈されるべきである。本明細書で開示されるいずれの方法のステップも、ステップが、別のステップに後続するかまたは先行するものとして明示的に説明されない限り、および／あるいはステップが別のステップに後続するかまたは先行しなければならないことが暗黙的である場合、開示される厳密な順序で実施される必要はない。本明細書で開示される実施形態のうちのいずれかの任意の特徴は、適切であればいかなる場合も、任意の他の実施形態に適用され得る。同じように、実施形態のうちのいずれかの任意の利点は、任意の他の実施形態に適用され得、その逆も同様である。同封の実施形態の他の目的、特徴、および利点は、以下の説明から明らかになろう。
【００２２】
現在、いくつかの課題が存在する。第３世代パートナーシッププロジェクト（３ＧＰＰ）新無線（ＮＲ）の既存の報告設定では、報告設定におけるプレースホルダー「ｒｅｐｏｒｔＣＧＩ」がある。このプレースホルダーは、自動近隣関係（ＡＮＲ）特有の目的でセルグローバル識別情報（ＣＧＩ）を報告するために使用されることになっている。しかしながら、この設定の詳細は、これから規格化されることになっている。さらに、単一周波数ネットワーク（ＳＦＮ）−フレーム時間差（ＳＦＴＤ）報告設定はＮＲにおいて議論中であり、この設定の詳細はまだ指定されていない。
【００２３】
本開示のいくつかの態様およびそれらの実施形態は、これらまたは他の課題のソリューションを提供し得る。本開示では、ＳＦＴＤ報告およびＡＮＲ関係報告のための報告設定の実施形態が提案される。これらの提案とともに、任意の知られていないＮＲノードのインターネットプロトコル（ＩＰ）アドレスを見つけるための既存のＬＴＥ近隣関係を使用することによって、ＮＲからのシステム情報送信に依拠することなしに、ＡＮＲが非スタンドアロン（ＮＳＡ）ＮＲについてサポートされ得る。
【００２４】
本明細書で開示される問題点のうちの１つまたは複数に対処する様々な実施形態が、本明細書で提案される。いくつかの実施形態は、以下の技術的利点のうちの１つまたは複数を提供し得る。たとえば、提案される実施形態は、コンパクトな様式でＳＦＴＤ報告およびＡＮＲ報告を提供するための組み合わせられたやり方を提供する。これは、ＵＥが、セルのリストについてＳＳＴＤ測定を報告することを可能にし得る。これらおよび他の技術的利点は、以下の説明から容易に明らかになり得る。特定の実施形態は、これらの技術的利点のいくつかを提供するか、いずれをも提供しないか、またはすべてを提供し得る。
【００２５】
添付の図面を参照しながら、次に、本明細書で企図される実施形態のうちのいくつかがより十分に説明される。しかしながら、他の実施形態は、本明細書で開示される主題の範囲内に含まれており、開示される主題は、本明細書に記載される実施形態のみに限定されるものとして解釈されるべきではなく、むしろ、これらの実施形態は、当業者に主題の範囲を伝達するために、例として提供される。
【００２６】
１  ＡＮＲ特有の設定
ＬＴＥでは、情報エレメント（ＩＥ）ｒｅｐｏｒｔＣＧＩが、無限大の周期性をもつ周期的測定報告の一部として設定された。基本的に、それはワンショット報告である。ＮＲでは、このパラメータはｒｅｐｏｒｔＴｙｐｅパラメータの一部であることをすでに合意されているが、このパラメータの設定はさらなる検討が必要であり、まだ合意されていない。さらに、改善が示唆されてきた。たとえば、ユーザ機器（ＵＥ）がＣＧＩ報告を提供することを予想されるセルのリストを提供することが提案されてきた。（１つまたは複数の）セルについてｍｅａｓＯｂｊｅｃｔ中ではなくｒｅｐｏｒｔＣｏｎｆｉｇ中でＣＧＩを報告するように、（１つまたは複数の）セルを設定することも提案されてきた。しかしながら、すべての上記の設定は、ＵＥから受信された、イベントトリガ型または周期的のいずれかのリポートに基づき、そのリポートは、サービングセルのための知られている近隣の中にない物理セル識別情報（ＰＣＩ）を含んでいる。ＬＴＥの場合のように、上記の機構では、ＵＥは、いかなる近隣リストにも気づいておらず、ＵＥは、エリア中の知られていない近隣の存在をプロアクティブに検出することができないことに留意されたい。
【００２７】
この点について、ｒｅｐｏｒｔＣＧＩ  ＩＥがＲｅｐｏｒｔＣｏｎｆｉｇＮＲ中にどのように含まれ得るかを示すために、以下の例が提供される。
2021514160.tif 000007
【００２８】
本明細書で提案される１つのソリューションは、ＰＣＩ混乱を引き起こし得るセル、または潜在的にサービングセルの近隣リスト中にないことがあるセルを、ＵＥがアクティブに識別することができるやり方を提供する。
【００２９】
１．１  追加の近隣セル検出
ＵＥは、対応する周波数において（ＳＳブロックまたはＳＳＢとも呼ばれる）同期信号（ＳＳ）／物理ブロードキャストチャネル（ＰＢＣＨ）ブロックをどこで見つけるべきかに関してＵＥに通知する、同期信号測定タイミング設定（ＳＭＴＣ）ウィンドウで設定される。ＳＳ／ＰＢＣＨブロックのすべての送信は、このウィンドウ内で起こるべきである。ウィンドウは最高５ミリ秒（ｍｓ）長であり得、ウィンドウの周期性は｛５，１０，２０，４０，８０，１６０｝ｍｓのうちで設定され得る。ＵＥは、このＳＭＴＣウィンドウの外部でいかなる無線リソース管理（ＲＲＭ）測定をも実施することを予想されていない。
【００３０】
セルから送信されるＳＳ／ＰＢＣＨブロックは、１次同期信号（ＰＳＳ）と、２次同期信号（ＳＳＳ）と、ＰＢＣＨとを含んでいる。ＰＢＣＨのコンテンツは、とりわけ、検出されたＳＳ／ＰＢＣＨブロックが、そのセルからの第１のＳＳ／ＰＢＣＨブロックであるのか、そのセルからの第２のＳＳ／ＰＢＣＨブロックであるのか、そのセルからの第３のＳＳ／ＰＢＣＨブロックであるのかなどに関して、ＵＥに通知するタイミングインデックスを含む。この情報に基づいて、ＵＥは、ＳＳ／ＰＢＣＨブロック送信が、設定されたＳＭＴＣウィンドウの外部に入る、何らかのセルがあるかどうかを検出することができる。検出するためにＵＥによって使用され得る１つの方法が以下で与えられる。これはほんの例示的な実施形態であり、さらなる最適化がこれに関して実施され得ることに留意されたい。たとえば、あらゆる検出されたＳＳ／ＰＢＣＨブロックを考慮する代わりに、ＵＥは、所与のＰＣＩからの最も強いＳＳ／ＰＢＣＨブロックのみを考慮し得る。例示的なプロセスは以下の通りである。
●  ＵＥにおける各検出されたＳＳ／ＰＢＣＨブロック識別子について
〇  検出されたＳＳ／ＰＢＣＨブロック識別子（ビームインデックス）が１よりも大きい場合：
・  検出されたタイミングインデックス（ＳＳ／ＰＢＣＨブロック識別子  →  ビームインデックス）に基づいて、そのセルからの第１のＳＳ／ＰＢＣＨブロック識別子の可能な送信インスタンスを見つける
・  ＳＳ／ＰＢＣＨブロックのこの第１の送信がＳＭＴＣウィンドウの開始の前に発生したかどうかを検査する。
●  ＳＭＴＣウィンドウの開始の前に発生した場合、ＵＥは、候補の知られていない近隣セルの検出を宣言する
【００３１】
１．２  ＰＣＩ混乱検出
ＵＥは、ＳＭＴＣウィンドウ内でＳＳ／ＰＢＣＨブロック測定を実施する。この時間中に、ＵＥは、ＳＳ／ＰＢＣＨブロックインデックスがタイミング情報を指示するので、同じセルからのＳＳ／ＰＢＣＨブロックインデックス（たとえば、ＰＳＳ＋ＳＳＳに符号化された同じＰＣＩを有するＳＳ／ＰＢＣＨブロックインデックス）が昇順に到着することを予想する。したがって、ＵＥが、同じＳＭＴＣウィンドウ内で（たとえば、同じＰＣＩを有する）同じセルからの２つの異なるＳＳ／ＰＢＣＨブロックを検出し、それらの検出されたＳＳ／ＰＢＣＨブロックが、漸進的な増加する順序で発生しない場合、ＵＥは、エリアをカバーし、同じＰＣＩを送信している、２つ以上のセルがあると宣言することができる。この検出は、昇順でないＳＳ／ＰＢＣＨブロックの到着、および／または、連続するＳＳ／ＰＢＣＨ送信ロケーション間の検出されたＳＳ／ＰＢＣＨブロックインデックスが、予想される送信シーケンス通りの漸進的な昇順でないかどうかに基づき得る。これは、ＰＣＩ混乱検出として宣言され得る。
【００３２】
１．３  ＲｅｐｏｒｔＣｏｎｆｉｇＮＲコンテンツ
上記のことに基づいて、ＮＲからの報告設定は以下のように更新され得る。これは、そのような設定の一実施形態である。
【００３３】
ネットワークが「追加の近隣セル検出」関係報告を得ることを望む場合、ネットワークは、ＯｎｅＳｈｏｔＲｅｐｏｒｔＣｏｎｆｉｇ中のフラグｒｅｐｏｒｔＴｒｉｇｇｅｒｉｎｇをセットし、ｒｅｐｏｒｔＰｕｒｐｏｓｅをｃｅｌｌＯｕｔｓｉｄｅＳＭＴＣＷｉｎｄｏｗＤｅｔｅｃｔｉｏｎまたはｃｅｌｌＯｕｔｓｉｄｅＳＭＴＣＷｉｎｄｏｗＤｅｔｅｃｔｉｏｎＯＲＰＣＩＣｏｎｆｕｓｉｏｎＤｅｔｅｃｔｉｏｎにセットすることによって、そのようなセルが検出された場合に測定リポートをトリガするようにＵＥを設定することができる。そのようなリポートでは、ＵＥは、ＳＭＴＣウィンドウ内で検出されたが、ＳＭＴＣウィンドウの開始より前に他のＳＳ／ＰＢＣＨブロックが送信されていることがあるセルを含む。
【００３４】
ネットワークが「ＰＣＩ混乱検出」関係報告を得ることを望む場合、ネットワークは、ＯｎｅＳｈｏｔＲｅｐｏｒｔＣｏｎｆｉｇ中のフラグｒｅｐｏｒｔＴｒｉｇｇｅｒｉｎｇをセットし、ｒｅｐｏｒｔＰｕｒｐｏｓｅをＰＣＩＣｏｎｆｕｓｉｏｎＤｅｔｅｃｔｉｏｎまたはｃｅｌｌＯｕｔｓｉｄｅＳＭＴＣＷｉｎｄｏｗＤｅｔｅｃｔｉｏｎＯＲＰＣＩＣｏｎｆｕｓｉｏｎＤｅｔｅｃｔｉｏｎにセットすることによって、そのようなセルが検出された場合に測定リポートをトリガするようにＵＥを設定することができる。そのようなリポートでは、ＵＥは、潜在的ＰＣＩ混乱問題を有していることが検出されたＰＣＩを含み、潜在的に、ＵＥは、自律ギャップを使用して、これらのセルのＧＣＩＤを読み取ることによって、これらのセルのＧＣＩＤをも含むことができる。
【００３５】
追加の近隣セル検出関係報告およびＰＣＩ混乱検出関係報告を可能にするための上述の態様を含む、変更されたＲｅｐｏｒｔＣｏｎｆｉｇＮＲ  ＩＥの一例は、以下の通りである。
2021514160.tif 000008
2021514160.tif 000009
2021514160.tif 000010
【００３６】
２  ＳＦＴＤ報告設定
ＳＦＴＤ測定は、１つのセルがＰＣｅｌｌである、２つの異なるセル間の時間差を見つけるために使用される。３ＧＰＰでは、ネットワークは、ＮＲ  ＰＳＣｅｌｌが設定されるときはいつでも、ＮＲ  ＳＦＴＤ測定のために設定することができ、ＮＲセルがＰＳＣｅｌｌとして設定されない場合、ネットワークは、他のＮＲセルに向けてもＳＦＴＤ測定を報告するようにＵＥに要求することができることが合意された。
【００３７】
これらの合意に基づいて、ネットワークは、ＵＥがＳＦＴＤ測定を報告することができるセルのリストを設定することができる。この一例が図２に示されている。図２では、随意のステップが破線によって表される。特に、図２は、本開示のいくつかの実施形態による、ＵＥが、ネットワークノードによって、ＵＥがＳＦＴＤ測定を報告することができるセルのリストで設定される、プロセスを示す。示されているように、ネットワークノードは、ＵＥがＳＦＴＤ測定を報告することができるセルのリストでＵＥを設定する（ステップ２００）。本明細書で説明されるように、いくつかの実施形態では、本開示を読めば当業者によって諒解されるように、セルのリストは、情報エレメント（たとえば、ＲｅｐｏｒｔＣｏｎｆｉｇＮＲ情報エレメント）中で提供され、情報エレメントは、ＲＲＣ接続再設定メッセージまたはＲＲＣ接続再開メッセージなど、ＲＲＣメッセージ中で送信される。ＵＥは、このリストを受信し、随意に、リストに従ってＳＦＴＤ測定を実施する（ステップ２０２）。言い換えれば、ＵＥは、リスト中のセルについてＳＦＴＤ測定を実施する。ＵＥは、ネットワークノードに、それらのセルのうちの少なくともいくつかについてのＳＦＴＤ測定を報告する（ステップ２０４）。
【００３８】
本開示では、ＳＦＴＤ測定に関係する報告設定を設定するために、ＡＮＲ関係測定の機構と同様の機構を使用することが提案される。ＡＮＲ関係設定の場合、ＵＥがＣＧＩ測定を報告すべきであるセルのリストを提供することが前に提案された。ｍｅａｓＯｂｊｅｃｔ中ではなく報告設定中でこのリストを設定することも前に提案された。同様の機構が、ＳＦＴＤ測定関係報告設定のために採用され得る。これに基づいて、ＳＦＴＤ報告設定の一例が以下で与えられる。
【００３９】
ｒｅｐｏｒｔＰｕｒｐｏｓｅがｒｅｐｏｒｔＳＦＴＤにセットされたｏｎｅＳｈｏｔＲｅｐｏｒｔでＵＥを設定することによって、ＵＥは、ＳＦＴＤ測定を実施することになる。報告設定は、ＵＥがどのセルについてＳＦＴＤ測定を実施し、測定リポート中に含めるものとするかに関してＵＥに指示する、「ｃｅｌｌｓＦｏｒＷｈｉｃｈＴｏＲｅｐｏｒｔ」をさらに含むことができる。
2021514160.tif 000011
【００４０】
いくつかの実施形態では、ネットワークは、測定された品質が、設定されたしきい値内にある（すなわち、報告のための設定されたしきい値を満足する）セルのみを測定リポート中に含めることをＵＥに指示するしきい値を、（ｃｅｌｌｓＦｏｒＷｈｉｃｈＴｏＲｅｐｏｒｔの代わりに、またはｃｅｌｌｓＦｏｒＷｈｉｃｈＴｏＲｅｐｏｒｔへの追加のパラメータとして）設定することができる。
【００４１】
また別の実施形態では、ＬＴＥにおいて設定されるＳＦＴＤ測定は、以下で与えられるようにキャプチャされ得る。これらの様々な実施形態は、３ＧＰＰ  ＴＳ３６．３３１に対する変更として示されており、補正されたテキストが、強調表示、下線、および太字のテキストで示されている。これらの提案においてＩＥのための特定の名前および用語が使用されるが、これらの名前および用語は、説明の目的で使用されることが諒解されよう。本明細書で開示される機能性から逸脱することなく、異なる名前および用語が、規格において採用され得る。
【００４２】
第１の変更
５．５  測定
５．５．１  導入
ＵＥは、Ｅ−ＵＴＲＡＮによって提供される測定設定に従って、測定情報を報告する。Ｅ−ＵＴＲＡＮは、専用シグナリングによって、すなわち、ＲＲＣＣｏｎｎｅｃｔｉｏｎＲｅｃｏｎｆｉｇｕｒａｔｉｏｎまたはＲＲＣＣｏｎｎｅｃｔｉｏｎＲｅｓｕｍｅメッセージを使用して、ＲＲＣ＿ＣＯＮＮＥＣＴＥＤにあるＵＥのために適用可能な測定設定を提供する。
【００４３】
ＵＥは、以下のタイプの測定を実施するように要求され得る。
−  周波数内測定：（１つまたは複数の）サービングセルの（１つまたは複数の）ダウンリンクキャリア周波数における測定。
−  周波数間測定：（１つまたは複数の）サービングセルの（１つまたは複数の）ダウンリンクキャリア周波数のいずれとも異なる周波数における測定。
−  ＮＲ周波数のＲＡＴ間測定。
−  ＵＴＲＡ周波数のＲＡＴ間測定。
−  ＧＥＲＡＮ周波数のＲＡＴ間測定。
−  ＣＤＭＡ２０００  ＨＲＰＤまたはＣＤＭＡ２０００  １ｘＲＴＴまたはＷＬＡＮ周波数のＲＡＴ間測定。
−  ＣＢＲ測定。
【００４４】
測定設定は以下のパラメータを含む。
１．  測定対象：ＵＥが測定を実施するものとする対象。
−  周波数内測定および周波数間測定の場合、測定対象は、単一のＥ−ＵＴＲＡキャリア周波数である。このキャリア周波数に関連して、Ｅ−ＵＴＲＡＮは、セル固有オフセットのリストと、「ブラックリストに載せられた（ｂｌａｃｋｌｉｓｔｅｄ）」セルのリストと、「ホワイトリストに載せられた（ｗｈｉｔｅｌｉｓｔｅｄ）」セルのリストとを設定することができる。ブラックリストに載せられたセルは、イベント評価または測定報告において考慮されない。
−  ＲＡＴ間ＮＲ測定の場合、測定対象は、単一のＮＲキャリア周波数である。このキャリア周波数に関連して、Ｅ−ＵＴＲＡＮは、「ブラックリストに載せられた」セルのリストを設定することができる。ブラックリストに載せられたセルは、イベント評価または測定報告において考慮されない。
−  ＲＡＴ間ＵＴＲＡ測定の場合、測定対象は、単一のＵＴＲＡキャリア周波数上のセルのセットである。
−  ＲＡＴ間ＧＥＲＡＮ測定の場合、測定対象は、ＧＥＲＡＮキャリア周波数のセットである。
−  ＲＡＴ間ＣＤＭＡ２０００測定の場合、測定対象は、単一の（ＨＲＰＤまたは１ｘＲＴＴ）キャリア周波数上のセルのセットである。
−  ＲＡＴ間ＷＬＡＮ測定の場合、測定対象は、ＷＬＡＮ識別子のセット、および随意にＷＬＡＮ周波数のセットである。
−  ＣＢＲ測定の場合、測定対象は、Ｖ２Ｘサイドリンク通信のための送信リソースプールのセットである。
注１：  上述の測定対象を使用するいくつかの測定は、単一のセルのみに関係し、たとえば、隣接セルシステム情報、ＰＣｅｌｌ  ＵＥ  Ｒｘ−Ｔｘ時間差を報告するために使用される測定であるか、あるいは、セルのペアに関係し、たとえば、ＰＣｅｌｌとＰＳＣｅｌｌとの間のＳＳＴＤ測定、またはＰＣｅｌｌとＮＲセルとの間のＳＦＴＤ測定である。
２．  報告設定：各報告設定が以下からなる報告設定のリスト。
−  報告基準：測定リポートを送るようにＵＥをトリガする基準。これは、周期的または単一イベント記述のいずれかであり得る。
−  報告フォーマット：ＵＥが測定リポート中に含める量、および関連する情報（たとえば、報告すべきセルの数）。
【００４５】
第２の変更
５．５．３  測定を実施すること
５．５．３．１  全般
ＵＥ  Ｒｘ−Ｔｘ時間差測定、ＲＳＳＩ、ＱＣＩごとのＵＬ  ＰＤＣＰパケット遅延測定、チャネル占有測定、ＣＢＲ測定を除く、ならびに、帯域、キャリア情報、利用可能アドミッションキャパシティ（Ａｖａｉｌａｂｌｅ  Ａｄｍｉｓｓｉｏｎ  Ｃａｐａｃｉｔｙ）、バックホール帯域幅、チャネル利用、および局カウントのＷＬＡＮ測定を除く、すべての測定について、ＵＥは、報告基準の評価のためにまたは測定報告のために、測定された結果を使用する前に、５．５．３．２において指定されているように、レイヤ３フィルタ処理を適用する。ＮＲキャリア上で測定を実施するとき、ＵＥは、５．５．３．３において指定されているようにセル品質を導出し、５．５．３．３ａにおいて指定されているようにビーム品質を導出する。
【００４６】
ＵＥは、以下を行うものとする。
１＞  ＵＥがｍｅａｓＣｏｎｆｉｇを有するときはいつでも、以下のように、各サービングセルについてＲＳＲＰおよびＲＳＲＱ測定を実施する。
２＞  ＰＣｅｌｌについて、ｍｅａｓＳｕｂｆｒａｍｅＰａｔｔｅｒｎＰＣｅｌｌが設定された場合、ｍｅａｓＳｕｂｆｒａｍｅＰａｔｔｅｒｎＰＣｅｌｌに従って、時間領域測定リソース制限を適用する。
２＞  ＵＥがＣＲＳベース発見信号測定をサポートする場合、
３＞  非アクティブ化状態にある各ＳＣｅｌｌについて、ＳＣｅｌｌの周波数に対応するｍｅａｓＯｂｊｅｃｔ内でｍｅａｓＤＳ−Ｃｏｎｆｉｇが設定された場合、ｍｅａｓＤＳ−Ｃｏｎｆｉｇに従って、発見信号測定タイミング設定を適用する。
１＞  ＵＥが、ｒｓ−ｓｉｎｒ−Ｃｏｎｆｉｇが設定されたｍｅａｓＣｏｎｆｉｇを有する場合、以下のように、（関連するｒｅｐｏｒｔＣｏｎｆｉｇ中で指示されるように）ＲＳ−ＳＩＮＲ測定を実施する。
２＞  必要に応じて、利用可能なアイドル期間を使用するか、または自律ギャップを使用して、関連するｍｅａｓＯｂｊｅｃｔ中で指示された周波数上で、対応する測定を実施する。
１＞  ＶａｒＭｅａｓＣｏｎｆｉｇ内のｍｅａｓＩｄＬｉｓｔ中に含まれる各ｍｅａｓＩｄについて、
２＞  関連するｒｅｐｏｒｔＣｏｎｆｉｇの目的がｒｅｐｏｒｔＣＧＩにセットされた場合、
３＞  ｓｉ−ＲｅｑｕｅｓｔＦｏｒＨＯが、関連するｒｅｐｏｒｔＣｏｎｆｉｇのために設定された場合、
４＞  必要に応じて自律ギャップを使用して、関連するｍｅａｓＯｂｊｅｃｔ中で指示された周波数およびＲＡＴ上で、対応する測定を実施する。
３＞  他の場合、
４＞  必要に応じて、利用可能なアイドル期間を使用するか、または自律ギャップを使用して、関連するｍｅａｓＯｂｊｅｃｔ中で指示された周波数およびＲＡＴ上で、対応する測定を実施する。
注１：自律ギャップが、測定を実施するために使用される場合、ＵＥは、すべての（１つまたは複数の）サービングセルとの通信を一時的に中止することを可能にされ、すなわち、自律ギャップを作成して、ＴＳ３６．１３３［１６］において指定されている限界内で対応する測定を実施することを可能にされる。場合によっては、ＵＥは、Ｅ−ＵＴＲＡＮが十分なアイドル期間を提供した場合のみ、目的がｒｅｐｏｒｔＣＧＩにセットされた測定のみをサポートする。
３＞  関連するｍｅａｓＯｂｊｅｃｔ中のｃｅｌｌＦｏｒＷｈｉｃｈＴｏＲｅｐｏｒｔＣＧＩによって指示されたセルのグローバルセル識別情報を、当該のセルから関連するシステム情報を収集することによって、収集することを試みる。
３＞  ｃｅｌｌＡｃｃｅｓｓＲｅｌａｔｅｄＩｎｆｏＬｉｓｔ中のエントリが、選択されたＰＬＭＮを含む場合、当該のセルから関連するシステム情報を収集する。
３＞  関連するｍｅａｓＯｂｊｅｃｔ中に含まれるｃｅｌｌＦｏｒＷｈｉｃｈＴｏＲｅｐｏｒｔＣＧＩによって指示されたセルがＥ−ＵＴＲＡＮセルである場合、
４＞  当該のセルにおいてＣＳＧ識別情報がブロードキャストされた場合、ＣＳＧ識別情報を収集することを試みる。
４＞  当該のセルにおいてｔｒａｃｋｉｎｇＡｒｅａＣｏｄｅを収集することを試みる。
４＞  当該のセルにおいて複数のＰＬＭＮ識別情報がブロードキャストされた場合、ｐｌｍｎ−ＩｄｅｎｔｉｔｙＬｉｓｔ中に含まれる、追加のＰＬＭＮ識別情報のリストを収集することを試みる。
４＞  ｃｅｌｌＡｃｃｅｓｓＲｅｌａｔｅｄＩｎｆｏＬｉｓｔが含まれる場合、選択されたＰＬＭＮを含んでいるｃｅｌｌＡｃｃｅｓｓＲｅｌａｔｅｄＩｎｆｏＬｉｓｔのエントリからのｔｒａｃｋｉｎｇＡｒｅａＣｏｄｅおよびｐｌｍｎ−ＩｄｅｎｔｉｔｙＬｉｓｔを使用する。
４＞  ｉｎｃｌｕｄｅＭｕｌｔｉＢａｎｄＩｎｆｏが設定された場合、
５＞  当該のセルのＳｙｓｔｅｍＩｎｆｏｒｍａｔｉｏｎＢｌｏｃｋＴｙｐｅ１中のｆｒｅｑＢａｎｄＩｎｄｉｃａｔｏｒを収集することを試みる。
５＞  複数の周波数帯域インジケータが、当該のセルのＳｙｓｔｅｍＩｎｆｏｒｍａｔｉｏｎＢｌｏｃｋＴｙｐｅ１中に含まれる場合、ｍｕｌｔｉＢａｎｄＩｎｆｏＬｉｓｔ中に含まれる、追加の周波数帯域インジケータのリストを収集することを試みる。
５＞  ｆｒｅｑＢａｎｄＩｎｄｉｃａｔｏｒＰｒｉｏｒｉｔｙが、当該のセルのＳｙｓｔｅｍＩｎｆｏｒｍａｔｉｏｎＢｌｏｃｋＴｙｐｅ１中に含まれる場合、ｆｒｅｑＢａｎｄＩｎｄｉｃａｔｏｒＰｒｉｏｒｉｔｙを収集することを試みる。
注２：「１次」ＰＬＭＮは、グローバルセル識別情報の一部である。
３＞  関連するｍｅａｓＯｂｊｅｃｔ中に含まれるｃｅｌｌＦｏｒＷｈｉｃｈＴｏＲｅｐｏｒｔＣＧＩによって指示されたセルがＵＴＲＡＮセルである場合、
４＞  当該のセルにおいて複数のＰＬＭＮ識別情報がブロードキャストされた場合、ＬＡＣ、ＲＡＣ、および追加のＰＬＭＮ識別情報のリストを収集することを試みる。
４＞  当該のセルにおいてＣＳＧ識別情報がブロードキャストされた場合、ＣＳＧ識別情報を収集することを試みる。
３＞  関連するｍｅａｓＯｂｊｅｃｔ中に含まれるｃｅｌｌＦｏｒＷｈｉｃｈＴｏＲｅｐｏｒｔＣＧＩによって指示されたセルがＧＥＲＡＮセルである場合、
４＞  当該のセルにおいてＲＡＣを収集することを試みる。
３＞  関連するｍｅａｓＯｂｊｅｃｔ中に含まれるｃｅｌｌＦｏｒＷｈｉｃｈＴｏＲｅｐｏｒｔＣＧＩによって指示されたセルがＣＤＭＡ２０００セルであり、ｍｅａｓＯｂｊｅｃｔ中に含まれるｃｄｍａ２０００−ＴｙｐｅがｔｙｐｅＨＲＰＤである場合、
４＞  当該のセルにおいてセクタＩＤを収集することを試みる。
３＞  関連するｍｅａｓＯｂｊｅｃｔ中に含まれるｃｅｌｌＦｏｒＷｈｉｃｈＴｏＲｅｐｏｒｔＣＧＩによって指示されたセルがＣＤＭＡ２０００セルであり、ｍｅａｓＯｂｊｅｃｔ中に含まれるｃｄｍａ２０００−Ｔｙｐｅがｔｙｐｅ１ＸＲＴＴである場合、
４＞  当該のセルにおいてＢＡＳＥ  ＩＤ、ＳＩＤおよびＮＩＤを収集することを試みる。
２＞  ｕｌ−ＤｅｌａｙＣｏｎｆｉｇが、関連するｒｅｐｏｒｔＣｏｎｆｉｇのために設定された場合、
３＞  ｍｅａｓＯｂｊｅｃｔを無視する。
３＞  ＱＣＩごとのＵＬ  ＰＤＣＰパケット遅延測定を実施するようにＰＤＣＰレイヤを設定する。
２＞  他の場合、
３＞  測定ギャップ設定がセットアップされた場合、あるいは
３＞  ＵＥが、当該の測定を実施するための測定ギャップを必要としない場合、
４＞  ｓ−Ｍｅａｓｕｒｅが設定されない場合、または
４＞  ｓ−Ｍｅａｓｕｒｅが設定され、レイヤ３フィルタ処理の後のＰＣｅｌｌ  ＲＳＲＰがこの値よりも低い場合、または
４＞  関連するｍｅａｓＯｂｊｅｃｔがＮＲに関係する場合、または
４＞  ｍｅａｓＤＳ−Ｃｏｎｆｉｇが、関連するｍｅａｓＯｂｊｅｃｔ中で設定された場合、
５＞  ＵＥがＣＳＩ−ＲＳベース発見信号測定をサポートする場合、および
５＞  関連するｒｅｐｏｒｔＣｏｎｆｉｇ中のｅｖｅｎｔＩｄが、ｅｖｅｎｔＣ１もしくはｅｖｅｎｔＣ２にセットされた場合、または、ｒｅｐｏｒｔＳｔｒｏｎｇｅｓｔＣＳＩ−ＲＳｓが、関連するｒｅｐｏｒｔＣｏｎｆｉｇ中に含まれる場合、
６＞  当該のｍｅａｓＯｂｊｅｃｔ中で指示された周波数上で、ＣＳＩ−ＲＳリソースの対応する測定を実施し、当該のｍｅａｓＯｂｊｅｃｔ中のｍｅａｓＤＳ−Ｃｏｎｆｉｇに従って、発見信号測定タイミング設定を適用する。
６＞  ｒｅｐｏｒｔＣＲＳ−Ｍｅａｓが、関連するｒｅｐｏｒｔＣｏｎｆｉｇ中に含まれる場合、以下のように、当該のｍｅａｓＯｂｊｅｃｔ中で指示された周波数上で、隣接セルの対応する測定を実施する。
７＞  １次周波数上の隣接セルについて、ｍｅａｓＳｕｂｆｒａｍｅＰａｔｔｅｒｎＣｏｎｆｉｇＮｅｉｇｈが、当該のｍｅａｓＯｂｊｅｃｔ中で設定された場合、ｍｅａｓＳｕｂｆｒａｍｅＰａｔｔｅｒｎＣｏｎｆｉｇＮｅｉｇｈに従って、時間領域測定リソース制限を適用する。
７＞  当該のｍｅａｓＯｂｊｅｃｔ中のｍｅａｓＤＳ−Ｃｏｎｆｉｇに従って、発見信号測定タイミング設定を適用する。
５＞  他の場合、
６＞  以下のように、当該のｍｅａｓＯｂｊｅｃｔ中で指示された周波数およびＲＡＴ上で、隣接セルの対応する測定を実施する。
７＞  １次周波数上の隣接セルについて、ｍｅａｓＳｕｂｆｒａｍｅＰａｔｔｅｒｎＣｏｎｆｉｇＮｅｉｇｈが、当該のｍｅａｓＯｂｊｅｃｔ中で設定された場合、ｍｅａｓＳｕｂｆｒａｍｅＰａｔｔｅｒｎＣｏｎｆｉｇＮｅｉｇｈに従って、時間領域測定リソース制限を適用する。
７＞  ＵＥがＣＲＳベース発見信号測定をサポートする場合、ｍｅａｓＤＳ−Ｃｏｎｆｉｇが、当該のｍｅａｓＯｂｊｅｃｔ中で設定された場合、ｍｅａｓＤＳ−Ｃｏｎｆｉｇに従って、発見信号測定タイミング設定を適用する。
４＞  ｕｅ−ＲｘＴｘＴｉｍｅＤｉｆｆＰｅｒｉｏｄｉｃａｌが、関連するｒｅｐｏｒｔＣｏｎｆｉｇ中で設定された場合、
５＞  ＰＣｅｌｌ上でＵＥ  ＲｘーＴｘ時間差測定を実施する。
４＞  ｒｅｐｏｒｔＳＳＴＤ−Ｍｅａｓが、関連するｒｅｐｏｒｔＣｏｎｆｉｇ中で真またはｐＳＣｅｌｌにセットされた場合、
５＞  ＰＣｅｌｌとＰＳＣｅｌｌとの間のＳＳＴＤ測定を実施する。
４＞  ｒｅｐｏｒｔＳＦＴＤ−Ｍｅａｓが、関連するｒｅｐｏｒｔＣｏｎｆｉｇ中でｐＳＣｅｌｌにセットされた場合、
５＞  ＰＣｅｌｌとＮＲ  ＰＳＣｅｌｌとの間のＳＦＴＤ測定を実施する。
４＞  ｒｅｐｏｒｔＳＦＴＤ−Ｍｅａｓが、関連するｒｅｐｏｒｔＣｏｎｆｉｇ中でｎｅｉｇｈｂｏｒＣｅｌｌｓにセットされた場合、
５＞  ＰＣｅｌｌと検出されたＮＲ近隣セルの各々との間のＳＦＴＤ測定を実施する。
４＞  ｍｅａｓＲＳＳＩ−ＲｅｐｏｒｔＣｏｎｆｉｇが、関連するｒｅｐｏｒｔＣｏｎｆｉｇ中で設定された場合、
５＞  関連するｍｅａｓＯｂｊｅｃｔ中で指示された周波数上で、ＲＳＳＩおよびチャネル占有測定を実施する。
２＞  ５．５．４において指定されているように報告基準の評価を実施する。
【００４７】
非Ｐ２Ｘ関係Ｖ２Ｘサイドリンク通信を送信するように設定されたときの、ＣＢＲ測定が可能なＵＥは、以下を行うものとする。
１＞  ＴＳ３６．３０４［４，１１．４］において規定されているＶ２Ｘサイドリンク通信送信のために使用される周波数に関するカバレッジ中にある場合、または
１＞  当該の周波数が、ＲＲＣＣｏｎｎｅｃｔｉｏｎＲｅｃｏｎｆｉｇｕｒａｔｉｏｎ中のｖ２ｘ−ＩｎｔｅｒＦｒｅｑＩｎｆｏＬｉｓｔ中に、またはＳｙｓｔｅｍＩｎｆｏｒｍａｔｉｏｎＢｌｏｃｋＴｙｐｅ２１内のｖ２ｘ−ＩｎｔｅｒＦｒｅｑＩｎｆｏＬｉｓｔ中に含まれる場合、
２＞  ＵＥがＲＲＣ＿ＩＤＬＥにある場合、
３＞  当該の周波数がキャンピングされた周波数である場合、
４＞  ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌがＳｙｓｔｅｍＩｎｆｏｒｍａｔｉｏｎＢｌｏｃｋＴｙｐｅ２１中に含まれる場合、ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌ中のプールに関してＣＢＲ測定を実施する。
３＞  そうではなく、ｖ２ｘ−ＣｏｍｍＴｘＰｏｏｌＮｏｒｍａｌまたはｖ２ｘ−ＣｏｍｍＴｘＰｏｏｌＥｘｃｅｐｔｉｏｎａｌが、ＳｙｓｔｅｍＩｎｆｏｒｍａｔｉｏｎＢｌｏｃｋＴｙｐｅ２１内の当該の周波数のためのｖ２ｘ−ＩｎｔｅｒＦｒｅｑＩｎｆｏＬｉｓｔ中に含まれる場合、
４＞  ＳｙｓｔｅｍＩｎｆｏｒｍａｔｉｏｎＢｌｏｃｋＴｙｐｅ２１中の当該の周波数のためのｖ２ｘ−ＩｎｔｅｒＦｒｅｑＩｎｆｏＬｉｓｔ中のｖ２ｘ−ＣｏｍｍＴｘＰｏｏｌＮｏｒｍａｌおよびｖ２ｘ−ＣｏｍｍＴｘＰｏｏｌＥｘｃｅｐｔｉｏｎａｌ中のプールに関してＣＢＲ測定を実施する。
３＞  そうではなく、当該の周波数がＳｙｓｔｅｍＩｎｆｏｒｍａｔｉｏｎＢｌｏｃｋＴｙｐｅ２１をブロードキャストする場合、
４＞  ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌが、当該の周波数上でブロードキャストされたＳｙｓｔｅｍＩｎｆｏｒｍａｔｉｏｎＢｌｏｃｋＴｙｐｅ２１中に含まれる場合、ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌ中のプールに関してＣＢＲ測定を実施する。
２＞  ＵＥがＲＲＣ＿ＣＯＮＮＥＣＴＥＤにある場合、
３＞  ｔｘ−ＲｅｓｏｕｒｃｅＰｏｏｌＴｏＡｄｄＬｉｓｔがＶａｒＭｅａｓＣｏｎｆｉｇ中に含まれる場合、
４＞  ｔｘ−ＲｅｓｏｕｒｃｅＰｏｏｌＴｏＡｄｄＬｉｓｔ中で指示された各リソースプールに関してＣＢＲ測定を実施する。
３＞  当該の周波数がＰＣｅｌｌの周波数である場合、
４＞  ｖ２ｘ−ＣｏｍｍＴｘＰｏｏｌＮｏｒｍａｌＤｅｄｉｃａｔｅｄまたはｖ２ｘ−ＳｃｈｅｄｕｌｉｎｇＰｏｏｌが、ＲＲＣＣｏｎｎｅｃｔｉｏｎＲｅｃｏｎｆｉｇｕｒａｔｉｏｎ中に含まれる場合、ｖ２ｘ−ＣｏｍｍＴｘＰｏｏｌＮｏｒｍａｌＤｅｄｉｃａｔｅｄまたはｖ２ｘ−ＳｃｈｅｄｕｌｉｎｇＰｏｏｌ中のプールに関してＣＢＲ測定を実施し、ｖ２ｘ−ＣｏｍｍＴｘＰｏｏｌＥｘｃｅｐｔｉｏｎａｌが、当該の周波数のためのＳｙｓｔｅｍＩｎｆｏｒｍａｔｉｏｎＢｌｏｃｋＴｙｐｅ２１中に含まれる場合、ｖ２ｘ−ＣｏｍｍＴｘＰｏｏｌＥｘｃｅｐｔｉｏｎａｌ中のプールに関してＣＢＲ測定を実施し、ｖ２ｘ−ＣｏｍｍＴｘＰｏｏｌＥｘｃｅｐｔｉｏｎａｌがｍｏｂｉｌｉｔｙＣｏｎｔｒｏｌＩｎｆｏＶ２Ｘ中に含まれる場合、ｖ２ｘ−ＣｏｍｍＴｘＰｏｏｌＥｘｃｅｐｔｉｏｎａｌ中のプールに関してＣＢＲ測定を実施する。
３＞  そうではなく、ｖ２ｘ−ＣｏｍｍＴｘＰｏｏｌＮｏｒｍａｌ、ｖ２ｘ−ＳｃｈｅｄｕｌｉｎｇＰｏｏｌまたはｖ２ｘ−ＣｏｍｍＴｘＰｏｏｌＥｘｃｅｐｔｉｏｎａｌが、ＲＲＣＣｏｎｎｅｃｔｉｏｎＲｅｃｏｎｆｉｇｕｒａｔｉｏｎ内の当該の周波数のためのｖ２ｘ−ＩｎｔｅｒＦｒｅｑＩｎｆｏＬｉｓｔ中に含まれる場合、
４＞  ｖ２ｘ−ＣｏｍｍＴｘＰｏｏｌＮｏｒｍａｌ、ｖ２ｘ−ＳｃｈｅｄｕｌｉｎｇＰｏｏｌ、およびｖ２ｘ−ＣｏｍｍＴｘＰｏｏｌＥｘｃｅｐｔｉｏｎａｌが、ＲＲＣＣｏｎｎｅｃｔｉｏｎＲｅｃｏｎｆｉｇｕｒａｔｉｏｎ中の当該の周波数のためのｖ２ｘ−ＩｎｔｅｒＦｒｅｑＩｎｆｏＬｉｓｔ中に含まれる場合、ｖ２ｘ−ＣｏｍｍＴｘＰｏｏｌＮｏｒｍａｌ、ｖ２ｘ−ＳｃｈｅｄｕｌｉｎｇＰｏｏｌ、およびｖ２ｘ−ＣｏｍｍＴｘＰｏｏｌＥｘｃｅｐｔｉｏｎａｌ中のプールに関してＣＢＲ測定を実施する。
３＞  そうではなく、当該の周波数がＳｙｓｔｅｍＩｎｆｏｒｍａｔｉｏｎＢｌｏｃｋＴｙｐｅ２１をブロードキャストする場合、
４＞  ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌが、当該の周波数のためのＳｙｓｔｅｍＩｎｆｏｒｍａｔｉｏｎＢｌｏｃｋＴｙｐｅ２１中に含まれる場合、ｖ２ｘ−ＣｏｍｍＴｘＰｏｏｌＮｏｒｍａｌＣｏｍｍｏｎおよびｖ２ｘ−ＣｏｍｍＴｘＰｏｏｌＥｘｃｅｐｔｉｏｎａｌ中のプールに関してＣＢＲ測定を実施する。
１＞  他の場合、
２＞  当該の周波数のためのＳＬ−Ｖ２Ｘ−Ｐｒｅｃｏｎｆｉｇｕｒａｔｉｏｎ中のｖ２ｘ−ＣｏｍｍＴｘＰｏｏｌＬｉｓｔ中のプールに関してＣＢＲ測定を実施する。
注３：ｓ−Ｍｅａｓｕｒｅは、ＵＥがいつ測定を実施することを必要とされるかを規定する。しかしながら、ＵＥは、たとえば、ＴＳ３６．３０４［４］において規定されている自律探索機能の使用に続いてＣＳＧ識別情報をブロードキャストするセルを測定するために、ＰＣｅｌｌ  ＲＳＲＰがｓ−Ｍｅａｓｕｒｅを超えるときにも測定を実施することを可能にされる。
注４：ＵＥは、たとえば、ＴＳ２３．４０２［７５］において指定されているユーザ選好に基づく別のＷＬＡＮへの接続により、またはＷＬＡＮをオフにすることにより、設定されたＷＬＡＮ測定を実施しないことがある。
【００４８】
第３の変更
測定リポートトリガリング
５．５．４．１  全般
セキュリティが正常にアクティブ化された場合、ＵＥは、以下を行うものとする。
１＞  ＶａｒＭｅａｓＣｏｎｆｉｇ内のｍｅａｓＩｄＬｉｓｔ中に含まれる各ｍｅａｓＩｄについて、
２＞  対応するｒｅｐｏｒｔＣｏｎｆｉｇが、ｒｅｐｏｒｔＳｔｒｏｎｇｅｓｔＣｅｌｌｓＦｏｒＳＯＮにセットされた目的を含む場合、
３＞  関連する周波数上で検出された任意の隣接セルが適用可能であると見なす。
２＞  そうではなく、対応するｒｅｐｏｒｔＣｏｎｆｉｇが、ｒｅｐｏｒｔＣＧＩにセットされた目的を含む場合、
３＞  ＶａｒＭｅａｓＣｏｎｆｉｇ内の対応するｍｅａｓＯｂｊｅｃｔ中に含まれるｃｅｌｌＦｏｒＷｈｉｃｈＴｏＲｅｐｏｒｔＣＧＩの値に一致する物理セル識別情報を有する、関連する周波数／周波数のセット（ＧＥＲＡＮ）上で検出された任意の隣接セルが適用可能であると見なす。
２＞  そうではなく、対応するｒｅｐｏｒｔＣｏｎｆｉｇが、ｒｅｐｏｒｔＬｏｃａｔｉｏｎにセットされた目的を含む場合、
３＞  ＰＣｅｌｌのみが適用可能であると見なす。
２＞  他の場合、
３＞  対応するｍｅａｓＯｂｊｅｃｔがＥ−ＵＴＲＡに関係する場合、
４＞  ｕｅ−ＲｘＴｘＴｉｍｅＤｉｆｆＰｅｒｉｏｄｉｃａｌが、対応するｒｅｐｏｒｔＣｏｎｆｉｇ中で設定された場合、
５＞  ＰＣｅｌｌのみが適用可能であると見なす。
４＞  そうではなく、ｒｅｐｏｒｔＳＳＴＤ−Ｍｅａｓが、対応するｒｅｐｏｒｔＣｏｎｆｉｇ中で真にセットされた場合、
５＞  ＰＳＣｅｌｌが適用可能であると見なす。
４＞  そうではなく、ｅｖｅｎｔＡ１またはｅｖｅｎｔＡ２が、対応するｒｅｐｏｒｔＣｏｎｆｉｇ中で設定された場合、
５＞  サービングセルのみが適用可能であると見なす。
４＞  そうではなく、ｅｖｅｎｔＣ１またはｅｖｅｎｔＣ２が、対応するｒｅｐｏｒｔＣｏｎｆｉｇ中で設定された場合、または、ｒｅｐｏｒｔＳｔｒｏｎｇｅｓｔＣＳＩ−ＲＳｓが、対応するｒｅｐｏｒｔＣｏｎｆｉｇ中に含まれる場合、
５＞  関連する周波数上のＣＳＩ−ＲＳリソースが、このｍｅａｓＩｄのためのＶａｒＭｅａｓＣｏｎｆｉｇ内で規定されたｍｅａｓＣＳＩ−ＲＳ−ＴｏＡｄｄＭｏｄＬｉｓｔ中に当該のＣＳＩ−ＲＳリソースが含まれるとき、適用可能であると見なす。
４＞  そうではなく、ｍｅａｓＲＳＳＩ−ＲｅｐｏｒｔＣｏｎｆｉｇが、対応するｒｅｐｏｒｔＣｏｎｆｉｇ中で設定された場合、
５＞  関連する周波数上でｒｍｔｃ−Ｃｏｎｆｉｇによって指示されたリソースが適用可能であると見なす。
４＞  そうではなく、ｔｘ−ＲｅｓｏｕｒｃｅＰｏｏｌＴｏＡｄｄＬｉｓｔが、ｍｅａｓＯｂｊｅｃｔ中で設定された場合、
５＞  このｍｅａｓＩｄのためのＶａｒＭｅａｓＣｏｎｆｉｇ内で規定されたｔｘ−ＲｅｓｏｕｒｃｅＰｏｏｌＴｏＡｄｄＬｉｓｔによって指示された送信リソースプールが適用可能であると見なす。
４＞  他の場合、
５＞  ｕｓｅＷｈｉｔｅＣｅｌｌＬｉｓｔが真にセットされた場合、
６＞  関連する周波数上で検出された任意の隣接セルが、このｍｅａｓＩｄのためのＶａｒＭｅａｓＣｏｎｆｉｇ内で規定されたｗｈｉｔｅＣｅｌｌｓＴｏＡｄｄＭｏｄＬｉｓｔ中に当該のセルが含まれるとき、適用可能であると見なす。
５＞  他の場合、
６＞  関連する周波数上で検出された任意の隣接セルが、このｍｅａｓＩｄのためのＶａｒＭｅａｓＣｏｎｆｉｇ内で規定されたｂｌａｃｋＣｅｌｌｓＴｏＡｄｄＭｏｄＬｉｓｔ中に当該のセルが含まれないとき、適用可能であると見なす。
５＞  １つの周波数上のサービングセルと他の周波数上の近隣セルとを伴うイベントについて、他の周波数上のサービングセルを隣接セルと見なす。
４＞  対応するｒｅｐｏｒｔＣｏｎｆｉｇがａｌｔｅｒｎａｔｉｖｅＴｉｍｅＴｏＴｒｉｇｇｅｒを含む場合、およびＵＥがａｌｔｅｒｎａｔｉｖｅＴｉｍｅＴｏＴｒｉｇｇｅｒをサポートする場合、
５＞  対応するｍｅａｓＯｂｊｅｃｔのａｌｔＴＴＴ−ＣｅｌｌｓＴｏＡｄｄＭｏｄＬｉｓｔ中に含まれるセルのための対応するｒｅｐｏｒｔＣｏｎｆｉｇ中のｔｉｍｅＴｏＴｒｉｇｇｅｒの値の代わりに、ａｌｔｅｒｎａｔｉｖｅＴｉｍｅＴｏＴｒｉｇｇｅｒの値を、トリガすべき時間として使用する。
３＞  そうではなく、対応するｍｅａｓＯｂｊｅｃｔがＵＴＲＡまたはＣＤＭＡ２０００に関係する場合、
４＞  関連する周波数上の隣接セルが、このｍｅａｓＩｄのためのＶａｒＭｅａｓＣｏｎｆｉｇ内で規定されたｃｅｌｌｓＴｏＡｄｄＭｏｄＬｉｓｔ中に当該のセルが含まれる（すなわち、ホワイトリスト中にそのセルが含まれる）とき、適用可能であると見なす。
注０：ＵＥはまた、ｃｓｇ−ａｌｌｏｗｅｄＲｅｐｏｒｔｉｎｇＣｅｌｌｓが、対応するｍｅａｓＯｂｊｅｃｔＵＴＲＡ中で設定された場合、このｍｅａｓＩｄのためのＶａｒＭｅａｓＣｏｎｆｉｇ内のｃｓｇ−ａｌｌｏｗｅｄＲｅｐｏｒｔｉｎｇＣｅｌｌｓ中に当該のセルが含まれる（すなわち、報告が可能にされる物理セル識別情報の範囲内にそのセルが含まれる）とき、関連するＵＴＲＡ周波数上の隣接セルが適用可能であると見なし得る。
３＞  そうではなく、対応するｍｅａｓＯｂｊｅｃｔがＧＥＲＡＮに関係する場合、
４＞  関連する周波数のセット上の隣接セルが、このｍｅａｓＩｄのためのＶａｒＭｅａｓＣｏｎｆｉｇ内で規定されたｎｃｃ−Ｐｅｒｍｉｔｔｅｄに当該のセルが一致するとき、適用可能であると見なす。
３＞  そうではなく、対応するｍｅａｓＯｂｊｅｃｔがＷＬＡＮに関係する場合、
４＞  ｃａｒｒｉｅｒＦｒｅｑによって指示された関連する周波数のセット上の、またはｃａｒｒｉｅｒＦｒｅｑが存在しないときはすべてのＷＬＡＮ周波数上の、ＷＬＡＮが、このｍｅａｓＩｄのためのｗｌａｎ−Ｉｄ−Ｌｉｓｔ内の少なくとも１つのエントリのすべてのＷＬＡＮ識別子にそのＷＬＡＮが一致する場合、適用可能であると見なす。
３＞  そうではなく、対応するｍｅａｓＯｂｊｅｃｔがＮＲに関係する場合、
４＞  ｒｅｐｏｒｔＳＦＴＤ−Ｍｅａｓが、対応するｒｅｐｏｒｔＣｏｎｆｉｇ中でｐＳＣｅｌｌにセットされた場合、
５＞  ＰＳＣｅｌｌが適用可能であると見なす。
４＞  そうではなく、ｒｅｐｏｒｔＳＦＴＤ−Ｍｅａｓが、対応するｒｅｐｏｒｔＣｏｎｆｉｇ中でｎｅｉｇｈｂｏｒＣｅｌｌｓにセットされ、ＮＲ  ＰＳＣｅｌｌが設定されない場合、
５＞  関連する周波数上で検出された任意の隣接ＮＲセルが適用可能であると見なす。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるレイヤ３フィルタ処理の後のすべての測定について、１つまたは複数の適用可能なセルについて満たされ、ＶａｒＭｅａｓＲｅｐｏｒｔＬｉｓｔがこのｍｅａｓＩｄのための測定報告エントリを含まない（第１のセルがイベントをトリガする）場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に、当該の（１つまたは複数の）セルを含める。
３＞  ＵＥがＴ３１２をサポートする場合、およびこのイベントについてｕｓｅＴ３１２が含まれる場合、およびＴ３１０が稼働している場合、
４＞  Ｔ３１２が稼働していない場合、
５＞  対応するｍｅａｓＯｂｊｅｃｔ中で設定された値でタイマーＴ３１２を開始する。
３＞  ５．５．５において指定されているように測定報告プロシージャを始動する。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるレイヤ３フィルタ処理の後のすべての測定について、ｃｅｌｌｓＴｒｉｇｇｅｒｅｄＬｉｓｔ中に含まれない１つまたは複数の適用可能なセルについて満たされる（後続のセルがイベントをトリガする）場合、
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に、当該の（１つまたは複数の）セルを含める。
３＞  ＵＥがＴ３１２をサポートする場合、およびこのイベントについてｕｓｅＴ３１２が含まれる場合、およびＴ３１０が稼働している場合、
４＞  Ｔ３１２が稼働していない場合、
５＞  対応するｍｅａｓＯｂｊｅｃｔ中で設定された値でタイマーＴ３１２を開始する。
３＞  ５．５．５において指定されているように測定報告プロシージャを始動する。
２＞  ｔｒｉｇｇｅｒＴｙｐｅがイベントにセットされた場合、および、このイベントのために適用可能な離脱条件が、このイベントのためにＶａｒＭｅａｓＣｏｎｆｉｇ内で規定されたｔｉｍｅＴｏＴｒｉｇｇｅｒ中にとられるレイヤ３フィルタ処理の後のすべての測定について、このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に含まれるセルのうちの１つまたは複数について満たされる場合、
３＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中の当該の（１つまたは複数の）セルを削除する。
３＞  ＵＥがＴ３１２をサポートする場合、およびこのイベントについてｕｓｅＴ３１２が含まれる場合、およびＴ３１０が稼働している場合、
４＞  Ｔ３１２が稼働していない場合、
５＞  対応するｍｅａｓＯｂｊｅｃｔ中で設定された値でタイマーＴ３１２を開始する。
３＞  ｒｅｐｏｒｔＯｎＬｅａｖｅが、対応する報告設定について真にセットされた場合、または、ａ６−ＲｅｐｏｒｔＯｎＬｅａｖｅが、対応する報告設定について真にセットされた場合、
４＞  ５．５．５において指定されているように測定報告プロシージャを始動する。
３＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔが空である場合、
４＞  このｍｅａｓＩｄのためのＶａｒＭｅａｓＲｅｐｏｒｔＬｉｓｔ内の測定報告エントリを削除する。
４＞  稼働している場合、このｍｅａｓＩｄのための周期的報告タイマーを停止する。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるレイヤ３フィルタ処理の後のすべての測定について、１つまたは複数の適用可能なＣＳＩ−ＲＳリソースについて満たされ、ＶａｒＭｅａｓＲｅｐｏｒｔＬｉｓｔがこのｍｅａｓＩｄのための測定報告エントリを含まない（すなわち、第１のＣＳＩ−ＲＳリソースがイベントをトリガする）場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔ中に、当該の（１つまたは複数の）ＣＳＩ−ＲＳリソースを含める。
３＞  ５．５．５において指定されているように測定報告プロシージャを始動する。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるレイヤ３フィルタ処理の後のすべての測定について、ｃｓｉ−ＲＳ−ＴｒｉｇｇｅｒｅｄＬｉｓｔ中に含まれない１つまたは複数の適用可能なＣＳＩ−ＲＳリソースについて満たされる（すなわち、後続のＣＳＩ−ＲＳリソースがイベントをトリガする）場合、
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔ中に、当該の（１つまたは複数の）ＣＳＩ−ＲＳリソースを含める。
３＞  ５．５．５において指定されているように測定報告プロシージャを始動する。
２＞  ｔｒｉｇｇｅｒＴｙｐｅがイベントにセットされた場合、および、このイベントのために適用可能な離脱条件が、このイベントのためにＶａｒＭｅａｓＣｏｎｆｉｇ内で規定されたｔｉｍｅＴｏＴｒｉｇｇｅｒ中にとられるレイヤ３フィルタ処理の後のすべての測定について、このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔ中に含まれるＣＳＩ−ＲＳリソースのうちの１つまたは複数について満たされる場合、
３＞  このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔ中の当該の（１つまたは複数の）ＣＳＩ−ＲＳリソースを削除する。
３＞  ｃ１−ＲｅｐｏｒｔＯｎＬｅａｖｅが、対応する報告設定について真にセットされた場合、または、ｃ２−ＲｅｐｏｒｔＯｎＬｅａｖｅが、対応する報告設定について真にセットされた場合、
４＞  ５．５．５において指定されているように測定報告プロシージャを始動する。
３＞  このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔが空である場合、
４＞  このｍｅａｓＩｄのためのＶａｒＭｅａｓＲｅｐｏｒｔＬｉｓｔ内の測定報告エントリを削除する。
４＞  稼働している場合、このｍｅａｓＩｄのための周期的報告タイマーを停止する。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるすべての測定について、１つまたは複数の適用可能な送信リソースプールについて満たされ、ＶａｒＭｅａｓＲｅｐｏｒｔＬｉｓｔがこのｍｅａｓＩｄのための測定報告エントリを含まない（第１の送信リソースプールがイベントをトリガする）場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｐｏｏｌｓＴｒｉｇｇｅｒｅｄＬｉｓｔ中に、当該の（１つまたは複数の）送信リソースプールを含める。
３＞  ５．５．５において指定されているように測定報告プロシージャを始動する。
２＞  ｔｒｉｇｇｅｒＴｙｐｅがイベントにセットされた場合、および、このイベント、すなわち、ＶａｒＭｅａｓＣｏｎｆｉｇ内の対応するｒｅｐｏｒｔＣｏｎｆｉｇのｅｖｅｎｔＩｄと対応するイベントのために適用可能なエントリ条件が、ＶａｒＭｅａｓＣｏｎｆｉｇ内のこのイベントのために規定されたｔｉｍｅＴｏＴｒｉｇｇｅｒ中にとられるすべての測定について、ｐｏｏｌｓＴｒｉｇｇｅｒｅｄＬｉｓｔ中に含まれない１つまたは複数の適用可能な送信リソースプールについて満たされる（後続の送信リソースプールがイベントをトリガする）場合、
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  このｍｅａｓＩｄのためのＶａｒＭｅａｓＲｅｐｏｒｔＬｉｓｔ内で規定されたｐｏｏｌｓＴｒｉｇｇｅｒｅｄＬｉｓｔ中に、当該の（１つまたは複数の）送信リソースプールを含める。
３＞  ５．５．５において指定されているように測定報告プロシージャを始動する。
２＞  ｔｒｉｇｇｅｒＴｙｐｅがイベントにセットされた場合、および、このイベントのために適用可能な離脱条件が、このイベントのためにＶａｒＭｅａｓＣｏｎｆｉｇ内で規定されたｔｉｍｅＴｏＴｒｉｇｇｅｒ中にとられるすべての測定について、このｍｅａｓＩｄのためのＶａｒＭｅａｓＲｅｐｏｒｔＬｉｓｔ内で規定されたｐｏｏｌｓＴｒｉｇｇｅｒｅｄＬｉｓｔ中に含まれる１つまたは複数の適用可能な送信リソースプールについて満たされる場合、
３＞  このｍｅａｓＩｄのためのＶａｒＭｅａｓＲｅｐｏｒｔＬｉｓｔ内で規定されたｐｏｏｌｓＴｒｉｇｇｅｒｅｄＬｉｓｔから、当該の（１つまたは複数の）送信リソースプールを削除する。
３＞  このｍｅａｓＩｄのためのＶａｒＭｅａｓＲｅｐｏｒｔＬｉｓｔ内で規定されたｐｏｏｌｓＴｒｉｇｇｅｒｅｄＬｉｓｔが空である場合、
４＞  このｍｅａｓＩｄのためのＶａｒＭｅａｓＲｅｐｏｒｔＬｉｓｔ内の測定報告エントリを削除する。
４＞  稼働している場合、このｍｅａｓＩｄのための周期的報告タイマーを停止する。
２＞  ｍｅａｓＲＳＳＩ−ＲｅｐｏｒｔＣｏｎｆｉｇが含まれる場合、および（第１の）測定結果が利用可能である場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  第１のＬ１測定持続時間の後にＲＳＳＩサンプル値が物理レイヤによって報告されたときに直ちに、５．５．５において指定されているように測定報告プロシージャを始動する。
２＞  そうではなく、目的が含まれ、ｒｅｐｏｒｔＳｔｒｏｎｇｅｓｔＣｅｌｌｓ、ｒｅｐｏｒｔＳｔｒｏｎｇｅｓｔＣｅｌｌｓＦｏｒＳＯＮ、ｒｅｐｏｒｔＬｏｃａｔｉｏｎまたはサイドリンクにセットされた場合、および（第１の）測定結果が利用可能である場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  目的がｒｅｐｏｒｔＳｔｒｏｎｇｅｓｔＣｅｌｌｓにセットされ、ｒｅｐｏｒｔＳｔｒｏｎｇｅｓｔＣＳＩ−ＲＳｓが含まれない場合、
４＞  ｔｒｉｇｇｅｒＴｙｐｅが周期的（ｐｅｒｉｏｄｉｃａｌ）にセットされ、対応するｒｅｐｏｒｔＣｏｎｆｉｇがｕｌ−ＤｅｌａｙＣｏｎｆｉｇを含む場合、
５＞  第１の測定結果が下位レイヤによって提供された直後に、５．５．５において指定されているように測定報告プロシージャを始動する。
４＞  そうではなく、対応する測定対象がＷＬＡＮに関係する場合、
５＞  報告されるべき量が、ＰＣｅｌｌのためにおよび適用可能な（１つまたは複数の）ＷＬＡＮのために利用可能になった直後に、５．５．５において指定されているように測定報告プロシージャを始動する。
４＞  そうではなく、ｒｅｐｏｒｔＡｍｏｕｎｔが１を超える場合、
５＞  報告されるべき量がＰＣｅｌｌのために利用可能になった直後に、５．５．５において指定されているように測定報告プロシージャを始動する。
４＞  他の場合（すなわち、ｒｅｐｏｒｔＡｍｏｕｎｔが１に等しい）、
５＞  報告されるべき量が、ＰＣｅｌｌのためにおよび適用可能なセルのうちの最も強いセルのために利用可能になった直後に、またはＳＳＴＤ測定の場合はＰＣｅｌｌとＰＳＣｅｌｌとのペアのために利用可能になった直後に、またはＳＦＴＤ測定の場合はＰＣｅｌｌとＮＲセルとのペアの各々のために利用可能になった直後に、５．５．５において指定されているように測定報告プロシージャを始動する。
３＞  そうではなく、目的がｒｅｐｏｒｔＬｏｃａｔｉｏｎにセットされた場合、
４＞  ＰＣｅｌｌについて報告されるべき量とロケーション情報の両方が利用可能になった直後に、５．５．５において指定されているように測定報告プロシージャを始動する。
３＞  そうではなく、目的がサイドリンクにセットされた場合、
４＞  ＰＣｅｌｌについて報告されるべき量とＣＢＲ測定結果の両方が利用可能になった直後に、５．５．５において指定されているように測定報告プロシージャを始動する。
３＞  他の場合、
４＞  関連する周波数上の最も強いセルを決定したとき、５．５．５において指定されているように測定報告プロシージャを始動する。
２＞  このｍｅａｓＩｄのための周期的報告タイマーの満了時に、
３＞  ５．５．５において指定されているように測定報告プロシージャを始動する。
２＞  目的が含まれ、ｒｅｐｏｒｔＣＧＩにセットされた場合、および、ＵＥが、要求されたセルのためのｃｇｉ−Ｉｎｆｏのすべてのフィールドをセットするために必要とされる情報を収集した場合、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  タイマーＴ３２１を停止する。
３＞  ５．５．５において指定されているように測定報告プロシージャを始動する。
２＞  このｍｅａｓＩｄのためのＴ３２１の満了時に、
３＞  このｍｅａｓＩｄのためのＶａｒＭｅａｓＲｅｐｏｒｔＬｉｓｔ内に測定報告エントリを含める。
３＞  このｍｅａｓＩｄのためのＶａｒＭｅａｓＲｅｐｏｒｔＬｉｓｔ内で規定されたｎｕｍｂｅｒＯｆＲｅｐｏｒｔｓＳｅｎｔを０にセットする。
３＞  ５．５．５において指定されているように測定報告プロシージャを始動する。
注２：ＵＥは、ＰＣｅｌｌ  ＲＳＲＰがｓ−Ｍｅａｓｕｒｅに等しいかまたはそれよりも良いことにより、あるいは測定ギャップがセットアップされないことにより、対応する測定が実施されない間、ｔｒｉｇｇｅｒＴｙｐｅがイベントまたは周期的にセットされた周期的報告を停止しない。
注３：ＵＥがＤＲＸで設定された場合、ＵＥは、ＴＳ３６．３２１［６］において規定されているアクティブ時間まで、イベントトリガ型および周期的トリガ型測定のための測定報告を遅延させ得る。
【００４９】
第４の変更
５．５．５  測定報告
このプロシージャの目的は、測定結果をＵＥからＥ−ＵＴＲＡＮに転送することである。ＵＥは、成功したセキュリティアクティブ化の後にのみ、このプロシージャを始動するものとする。
【００５０】
測定報告プロシージャがトリガされたｍｅａｓＩｄについて、ＵＥは、以下のように、ＭｅａｓｕｒｅｍｅｎｔＲｅｐｏｒｔメッセージ内にｍｅａｓＲｅｓｕｌｔｓをセットするものとする。
１＞  ｍｅａｓＩｄを、測定報告をトリガした測定識別情報にセットする。
１＞  ＰＣｅｌｌの量を含めるようにｍｅａｓＲｅｓｕｌｔＰＣｅｌｌをセットする。
１＞  測定報告をトリガしたｍｅａｓＩｄに関連するｒｅｐｏｒｔＣｏｎｆｉｇの目的がｒｅｐｏｒｔＬｏｃａｔｉｏｎにセットされた場合を除いて、もしあれば、設定された各Ｅ−ＵＴＲＡ  ＳＣｅｌｌについて、［１６］における性能要件に従って利用可能な場合、ｍｅａｓＲｅｓｕｌｔＳＣｅｌｌ内に当該のＳＣｅｌｌの量を含めるようにｍｅａｓＲｅｓｕｌｔＳｅｒｖＦｒｅｑＬｉｓｔをセットする。
１＞  測定報告をトリガしたｍｅａｓＩｄに関連するｒｅｐｏｒｔＣｏｎｆｉｇがｒｅｐｏｒｔＡｄｄＮｅｉｇｈＭｅａｓを含む場合、
２＞  測定報告をトリガしたｍｅａｓＩｄと対応する周波数以外の、ｍｅａｓＯｂｊｅｃｔＩｄがｍｅａｓＩｄＬｉｓｔ中で参照される各Ｅ−ＵＴＲＡサービング周波数について、
３＞  ｍｅａｓＲｅｓｕｌｔＢｅｓｔＮｅｉｇｈＣｅｌｌ内に、当該のサービング周波数上のＲＳＲＰに基づく最良の非サービングセルのｐｈｙｓＣｅｌｌＩｄおよび量を含めるように、ｍｅａｓＲｅｓｕｌｔＳｅｒｖＦｒｅｑＬｉｓｔをセットする。
１＞  ｔｒｉｇｇｅｒＴｙｐｅがイベントにセットされた場合、および対応するｍｅａｓＯｂｊｅｃｔがＮＲに関係する場合、およびｅｖｅｎｔＩｄがｅｖｅｎｔＢ１またはｅｖｅｎｔＢ２にセットされた場合、あるいは、
１＞  ｔｒｉｇｇｅｒＴｙｐｅがイベントにセットされた場合、およびｅｖｅｎｔＩｄがｅｖｅｎｔＡ３またはｅｖｅｎｔＡ４またはｅｖｅｎｔＡ５にセットされた場合、
２＞  測定報告をトリガしたｍｅａｓＩｄに関連するｒｅｐｏｒｔＣｏｎｆｉｇの目的が、ｒｅｐｏｒｔＬｏｃａｔｉｏｎ以外の値にセットされた場合、
３＞  もしあれば、各ＮＲサービング周波数について、以下を含めるようにｍｅａｓＲｅｓｕｌｔＳｅｒｖＦｒｅｑＬｉｓｔＮＲをセットする。
４＞  ［１６］における性能要件を満たす場合、ＮＲサービングセルの利用可能な結果を含めるようにｍｅａｓＲｅｓｕｌｔＳＣｅｌｌをセットする。
４＞  測定報告をトリガしたｍｅａｓＩｄに関連するｒｅｐｏｒｔＣｏｎｆｉｇがｒｅｐｏｒｔＡｄｄＮｅｉｇｈＭｅａｓを含む場合、
５＞  ＲＳＲＰに基づく最良の非サービングセルの利用可能な結果を含めるように、ｍｅａｓＲｅｓｕｌｔＢｅｓｔＮｅｉｇｈＣｅｌｌをセットする。
５＞  ＵＥが前のことに従って結果を報告する、各（サービングまたは隣接）セルについて、さらに、以下に従って、利用可能なビーム結果を含める。
６＞  ｍａｘＲＳ−ＩｎｄｅｘＲｅｐｏｒｔが設定された場合、セル報告のために使用されるものと同じ、量の大きいものから順に、および以下のように、対応するｍｅａｓＯｂｊｅｃｔのためのＶａｒＭｅａｓＣｏｎｆｉｇ中で規定されたｔｈｒｅｓｈＲＳ−Ｉｎｄｅｘをその量が上回る、ｍａｘＲＳ−ＩｎｄｅｘＲｅｐｏｒｔビームまでの結果を含めるように、ｍｅａｓＲｅｓｕｌｔＣｅｌｌＲＳ−Ｉｎｄｅｘをセットする。
７＞  ５．５．５．２において指定されているように、決定された報告量に基づいて、ビームを選択し、順序付ける。
ＴＢＣ  ＴＰＲ２−１８０１６４６において反映される、ＮＲ原理に基づくビームのための順序付け。
７＞  ｓｓｂＩｎｄｅｘを含める。
７＞  ｒｅｐｏｒｔＱｕａｎｔｉｔｙＲＳ−ＩｎｄｅｘＮＲおよびｒｅｐｏｒｔＲＳ−ＩｎｄｅｘＲｅｓｕｌｔｓＮＲが設定された場合、指示された各量について、対応する測定結果を含める。
ＴＢＣ  ｒｅｐｏｒｔＱｕａｎｔｉｔｙＲＳ−ＩｎｄｅｘＮＲおよびｒｅｐｏｒｔＲＳ−ＩｎｄｅｘＲｅｓｕｌｔｓが設定された場合、ＮＲの場合と同様のビットを導入すべきかどうか、たとえば、追加すべきかどうか
ＴＢＣ  ＴＰＲ２−１８００９５１において反映される、ＮＲ原理に基づく利用可能な結果の報告。
１＞  報告すべき少なくとも１つの適用可能な隣接セルがある場合、
２＞  以下に従って、ｍａｘＲｅｐｏｒｔＣｅｌｌｓまでの最良の隣接セルを含めるようにｍｅａｓＲｅｓｕｌｔＮｅｉｇｈＣｅｌｌｓをセットする。
３＞  ｔｒｉｇｇｅｒＴｙｐｅがイベントにセットされた場合、
４＞  このｍｅａｓＩｄのためのＶａｒＭｅａｓＲｅｐｏｒｔＬｉｓｔ内で規定されたｃｅｌｌｓＴｒｉｇｇｅｒｅｄＬｉｓｔ中に含まれるセルを含める。
３＞  他の場合、
４＞  新しい測定結果が、最後の周期的報告からあるいは測定が始動またはリセットされてから利用可能になった適用可能なセルを含める。
注１：リポートの信頼性（すなわち、リポートが当該の周波数上の最も強いセルを含んでいる確実性）は、測定設定、すなわちｒｅｐｏｒｔＩｎｔｅｒｖａｌに依存する。関係する性能要件は、ＴＳ３６．１３３［１６］において指定されている。
３＞  ｍｅａｓＲｅｓｕｌｔＮｅｉｇｈＣｅｌｌｓ中に含まれる各セルについて、ｐｈｙｓＣｅｌｌＩｄを含める。
３＞  ｔｒｉｇｇｅｒＴｙｐｅがイベントにセットされた場合、あるいは目的がｒｅｐｏｒｔＳｔｒｏｎｇｅｓｔＣｅｌｌｓまたはｒｅｐｏｒｔＳｔｒｏｎｇｅｓｔＣｅｌｌｓＦｏｒＳＯＮにセットされた場合、
４＞  各含まれるセルについて、以下のように順序付けされて、このｍｅａｓＩｄのためのｒｅｐｏｒｔＣｏｎｆｉｇに従って、レイヤ３フィルタ処理済みの測定された結果を含める。
５＞  このｍｅａｓＩｄに関連するｍｅａｓＯｂｊｅｃｔがＥ−ＵＴＲＡに関係する場合、
６＞  ｔｒｉｇｇｅｒＱｕａｎｔｉｔｙの大きいものから順に、当該のｒｅｐｏｒｔＣｏｎｆｉｇ内のｒｅｐｏｒｔＱｕａｎｔｉｔｙ中で指示された（１つまたは複数の）量を含めるようにｍｅａｓＲｅｓｕｌｔをセットし、すなわち、最良のセルが最初に含められる。
５＞  このｍｅａｓＩｄに関連するｍｅａｓＯｂｊｅｃｔがＮＲに関係する場合、
６＞  ｂＮ−ＴｈｒｅｓｈｏｌｄＹＮＲによる量の大きいものから順に、当該のｒｅｐｏｒｔＣｏｎｆｉｇ内のｒｅｐｏｒｔＱｕａｎｔｉｔｙＣｅｌｌＮＲ中で指示された（１つまたは複数の）量を含めるようにｍｅａｓＲｅｓｕｌｔＣｅｌｌをセットし、すなわち、最良のセルが最初に含められる。
６＞  ｍａｘＲＳ−ＩｎｄｅｘＲｅｐｏｒｔが設定された場合、セル報告のために使用されるものと同じ、量の大きいものから順に、および以下のように、対応するｍｅａｓＯｂｊｅｃｔのためのＶａｒＭｅａｓＣｏｎｆｉｇ中で規定されたｔｈｒｅｓｈＲＳ−Ｉｎｄｅｘをその量が上回る、ｍａｘＲＳ−ＩｎｄｅｘＲｅｐｏｒｔビームまでの結果を含めるように、ｍｅａｓＲｅｓｕｌｔＣｅｌｌＲＳ−Ｉｎｄｅｘをセットする。
７＞  ５．５．５．２において指定されているように、決定された報告量に基づいて、ビームを選択し、順序付ける。
ＴＢＣ  ＴＰＲ２−１８０１６４６において反映される、ＮＲ原理に基づくビームのための順序付け。
７＞  ｓｓｂＩｎｄｅｘを含める。
７＞  ｒｅｐｏｒｔＱｕａｎｔｉｔｙＲＳ−ＩｎｄｅｘＮＲおよびｒｅｐｏｒｔＲＳ−ＩｎｄｅｘＲｅｓｕｌｔｓＮＲが設定された場合、指示された各量について、対応する測定結果を含める。
ＴＢＣ  ｒｅｐｏｒｔＱｕａｎｔｉｔｙＲＳ−ＩｎｄｅｘＮＲおよびｒｅｐｏｒｔＲＳ−ＩｎｄｅｘＲｅｓｕｌｔｓが設定された場合、ＮＲの場合と同様のビットを導入すべきかどうか、たとえば、追加すべきかどうか
５＞  このｍｅａｓＩｄに関連するｍｅａｓＯｂｊｅｃｔがＵＴＲＡ  ＦＤＤに関係する場合、およびＲｅｐｏｒｔＣｏｎｆｉｇＩｎｔｅｒＲＡＴがｒｅｐｏｒｔＱｕａｎｔｉｔｙＵＴＲＡ−ＦＤＤを含む場合、
６＞  ｑｕａｎｔｉｔｙＣｏｎｆｉｇ内のｍｅａｓＱｕａｎｔｉｔｙＵＴＲＡ−ＦＤＤの大きいものから順に、ｒｅｐｏｒｔＱｕａｎｔｉｔｙＵＴＲＡ−ＦＤＤによって指示された量を含めるようにｍｅａｓＲｅｓｕｌｔをセットし、すなわち、最良のセルが最初に含められる。
５＞  このｍｅａｓＩｄに関連するｍｅａｓＯｂｊｅｃｔがＵＴＲＡ  ＦＤＤに関係する場合、およびＲｅｐｏｒｔＣｏｎｆｉｇＩｎｔｅｒＲＡＴがｒｅｐｏｒｔＱｕａｎｔｉｔｙＵＴＲＡ−ＦＤＤを含まない場合、または
５＞  このｍｅａｓＩｄに関連するｍｅａｓＯｂｊｅｃｔが、ＵＴＲＡ  ＴＤＤ、ＧＥＲＡＮまたはＣＤＭＡ２０００に関係する場合、
６＞  ＵＴＲＡおよびＧＥＲＡＮについて量の大きいものから順に、またはＣＤＭＡ２０００  ｐｉｌｏｔＳｔｒｅｎｇｔｈについて量の小さいものから順にのいずれかで、ｍｅａｓＲｅｓｕｌｔを、ｑｕａｎｔｉｔｙＣｏｎｆｉｇ内で当該のＲＡＴのために設定された量にセットし、すなわち、最良のセルが最初に含められる。
３＞  そうではなく、目的がｒｅｐｏｒｔＣＧＩにセットされた場合、
４＞  関連するｍｅａｓＯｂｊｅｃｔ中のｃｅｌｌＦｏｒＷｈｉｃｈＴｏＲｅｐｏｒｔＣＧＩによって指示されたセルのためのｃｇｉ−Ｉｎｆｏの必須の現在のフィールドが取得された場合、
５＞  ｉｎｃｌｕｄｅＭｕｌｔｉＢａｎｄＩｎｆｏが設定された場合、
６＞  ｆｒｅｑＢａｎｄＩｎｄｉｃａｔｏｒを含める。
６＞  セルがｍｕｌｔｉＢａｎｄＩｎｆｏＬｉｓｔをブロードキャストする場合、ｍｕｌｔｉＢａｎｄＩｎｆｏＬｉｓｔを含める。
６＞  セルがｆｒｅｑＢａｎｄＩｎｄｉｃａｔｏｒＰｒｉｏｒｉｔｙをブロードキャストする場合、ｆｒｅｑＢａｎｄＩｎｄｉｃａｔｏｒＰｒｉｏｒｉｔｙを含める。
５＞  セルがＣＳＧ識別情報をブロードキャストする場合、
６＞  ｃｓｇ−Ｉｄｅｎｔｉｔｙを含める。
６＞  ｃｓｇ−ＭｅｍｂｅｒＳｔａｔｕｓを含め、セルがＣＳＧメンバーセルである場合、ｃｓｇ−ＭｅｍｂｅｒＳｔａｔｕｓをメンバーにセットする。
５＞  ｓｉ−ＲｅｑｕｅｓｔＦｏｒＨＯが、このｍｅａｓＩｄに関連するｒｅｐｏｒｔＣｏｎｆｉｇ内で設定された場合、
６＞  正常に収集された、ｐｌｍｎ−ＩｄｅｎｔｉｔｙＬｉｓｔ以外のすべてのフィールドを含んでいるｃｇｉ−Ｉｎｆｏを含める。
６＞  以下に従って、ｃｇｉ−Ｉｎｆｏ内にフィールドｐｌｍｎ−ＩｄｅｎｔｉｔｙＬｉｓｔを含める。
７＞  セルがＣＳＧメンバーセルである場合、以下の条件を満たす、ブロードキャスト情報中のＰＬＭＮ識別情報の第２のエントリから開始する、ＰＬＭＮ識別情報のサブセットを決定する。
ａ）  ＲＰＬＭＮまたはＥＰＬＭＮに等しい、および
ｂ）  ＵＥのＣＳＧホワイトリストが、当該のＰＬＭＮ識別情報とセルによってブロードキャストされたＣＳＧ識別情報とを備えるエントリを含む。
７＞  前のことに従って決定されたＰＬＭＮ識別情報のサブセットが、少なくとも１つのＰＬＭＮ識別情報を含む場合、ｐｌｍｎ−ＩｄｅｎｔｉｔｙＬｉｓｔを含め、ＰＬＭＮ識別情報のこのサブセットを含めるようにｐｌｍｎ−ＩｄｅｎｔｉｔｙＬｉｓｔをセットする。
７＞  セルがＣＳＧメンバーセルである場合、１次ＰＬＭＮが上記で指定された条件ａ）およびｂ）を満たす場合、ｐｒｉｍａｒｙＰＬＭＮ−Ｓｕｉｔａｂｌｅを含める。
５＞  他の場合、
６＞  以下に従って、正常に収集されたすべてのフィールドを含んでいるｃｇｉ−Ｉｎｆｏを含める。
７＞  ｐｌｍｎ−ＩｄｅｎｔｉｔｙＬｉｓｔ中に、ブロードキャスト情報中のＰＬＭＮ識別情報の第２のエントリから開始する識別情報のリストを含める。
１＞  前のことに従って含まれるセル（すなわち、ＰＣｅｌｌ、ＳＣｅｌｌ、サービング周波数上の最良の非サービングセル、ならびに隣接ＥＵＴＲＡセルをカバーする）について、３６．１３３［１６］において規定された関連する性能要件に従って、対応する結果が利用可能である場合、拡張されたＲＳＲＱに従って結果を含める。
１＞  報告すべき少なくとも１つの適用可能なＣＳＩ−ＲＳリソースがある場合、
２＞  以下に従って、ｍａｘＲｅｐｏｒｔＣｅｌｌｓまでの最良のＣＳＩ−ＲＳリソースを含めるようにｍｅａｓＲｅｓｕｌｔＣＳＩ−ＲＳ−Ｌｉｓｔをセットする。
３＞  ｔｒｉｇｇｅｒＴｙｐｅがイベントにセットされた場合、
４＞  このｍｅａｓＩｄのためのＶａｒＭｅａｓＲｅｐｏｒｔＬｉｓｔ内で規定されたｃｓｉ−ＲＳ−ＴｒｉｇｇｅｒｅｄＬｉｓｔ中に含まれるＣＳＩ−ＲＳリソースを含める。
３＞  他の場合、
４＞  新しい測定結果が、最後の周期的報告からあるいは測定が始動またはリセットされてから利用可能になった適用可能なＣＳＩ−ＲＳリソースを含める。
注２：リポートの信頼性（すなわち、リポートが当該の周波数上の最も強いＣＳＩ−ＲＳリソースを含んでいる確実性）は、測定設定、すなわちｒｅｐｏｒｔＩｎｔｅｒｖａｌに依存する。関係する性能要件は、ＴＳ３６．１３３［１６］において指定されている。
３＞  ｍｅａｓＲｅｓｕｌｔＣＳＩ−ＲＳ−Ｌｉｓｔ中に含まれる各ＣＳＩ−ＲＳリソースについて、
４＞  ｍｅａｓＣＳＩ−ＲＳ−Ｉｄを含める。
４＞  以下のように順序付けされて、このｍｅａｓＩｄのためのｒｅｐｏｒｔＣｏｎｆｉｇに従って、レイヤ３フィルタ処理済みの測定された結果を含める。
５＞  ｔｒｉｇｇｅｒＱｕａｎｔｉｔｙＣＳＩ−ＲＳの大きいものから順に、当該のｒｅｐｏｒｔＣｏｎｆｉｇ内のｒｅｐｏｒｔＱｕａｎｔｉｔｙ中で指示された量を含めるようにｃｓｉ−ＲＳＲＰ−Ｒｅｓｕｌｔをセットし、すなわち、最良のＣＳＩ−ＲＳリソースが最初に含められる。
４＞  ｒｅｐｏｒｔＣＲＳ−Ｍｅａｓが、関連するｒｅｐｏｒｔＣｏｎｆｉｇ内に含まれ、このＣＳＩ−ＲＳリソースのｐｈｙｓＣｅｌｌＩｄによって指示されたセルがサービングセルでない場合、
５＞  このＣＳＩ−ＲＳリソースのｐｈｙｓＣｅｌｌＩｄによって指示されたセルを含めるようにｍｅａｓＲｅｓｕｌｔＮｅｉｇｈＣｅｌｌｓをセットし、ｐｈｙｓＣｅｌｌＩｄを含める。
５＞  ［１６］における性能要件に従って利用可能な場合、当該のセルのＲＳＲＰを含めるようにｒｓｒｐＲｅｓｕｌｔをセットする。
５＞  ［１６］における性能要件に従って利用可能な場合、当該のセルのＲＳＲＱを含めるようにｒｓｒｑＲｅｓｕｌｔをセットする。
１＞  ｕｅ−ＲｘＴｘＴｉｍｅＤｉｆｆＰｅｒｉｏｄｉｃａｌが、このｍｅａｓＩｄのための対応するｒｅｐｏｒｔＣｏｎｆｉｇ内で設定された場合、
２＞  ｕｅ−ＲｘＴｘＴｉｍｅＤｉｆｆＲｅｓｕｌｔを、下位レイヤによって提供された測定結果にセットする。
２＞  ｃｕｒｒｅｎｔＳＦＮをセットする。
１＞  ｍｅａｓＲＳＳＩ−ＲｅｐｏｒｔＣｏｎｆｉｇが、このｍｅａｓＩｄのための対応するｒｅｐｏｒｔＣｏｎｆｉｇ内で設定された場合、
２＞  ｒｓｓｉ−Ｒｅｓｕｌｔを、ｒｅｐｏｒｔＩｎｔｅｒｖａｌ中で下位レイヤによって提供された（１つまたは複数の）サンプル値の平均にセットする。
２＞  ｃｈａｎｎｅｌＯｃｃｕｐａｎｃｙを、ｒｅｐｏｒｔＩｎｔｅｒｖａｌ中のすべてのサンプル値内の、ｃｈａｎｎｅｌＯｃｃｕｐａｎｃｙＴｈｒｅｓｈｏｌｄを超えるサンプル値の丸められた割合にセットする。
１＞  アップリンクＰＤＣＰ遅延結果が利用可能である場合、
２＞  利用可能なアップリンクＰＤＣＰ遅延結果を含めるようにｕｌ−ＰＤＣＰ−ＤｅｌａｙＲｅｓｕｌｔＬｉｓｔをセットする。
１＞  ｉｎｃｌｕｄｅＬｏｃａｔｉｏｎＩｎｆｏが、このｍｅａｓＩｄのための対応するｒｅｐｏｒｔＣｏｎｆｉｇ中で設定された場合、または、測定報告をトリガしたｍｅａｓＩｄに関連するｒｅｐｏｒｔＣｏｎｆｉｇの目的がｒｅｐｏｒｔＬｏｃａｔｉｏｎにセットされ、報告されなかった詳細なロケーション情報が利用可能である場合、以下のようにｌｏｃａｔｉｏｎＩｎｆｏのコンテンツをセットする。
２＞  ｌｏｃａｔｉｏｎＣｏｏｒｄｉｎａｔｅｓを含める。
２＞  利用可能な場合、測定報告をトリガしたｍｅａｓＩｄに関連するｒｅｐｏｒｔＣｏｎｆｉｇの目的がｒｅｐｏｒｔＬｏｃａｔｉｏｎにセットされた場合を除いて、ｇｎｓｓ−ＴＯＤ−ｍｓｅｃを含める。
１＞  ｒｅｐｏｒｔＳＳＴＤ−Ｍｅａｓが、このｍｅａｓＩｄのための対応するｒｅｐｏｒｔＣｏｎｆｉｇ内で真またはｐＳＣｅｌｌにセットされた場合、
２＞  ｍｅａｓＲｅｓｕｌｔＳＳＴＤを、下位レイヤによって提供された測定結果にセットする。
１＞  ｒｅｐｏｒｔＳＦＴＤ−Ｍｅａｓが、このｍｅａｓＩｄのための対応するｒｅｐｏｒｔＣｏｎｆｉｇＩｎｔｅｒＲＡＴ内でｎｅｉｇｈｂｏｒＣｅｌｌｓまたはｐＳＣｅｌｌにセットされた場合、
２＞  ｍｅａｓＲｅｓｕｌｔＳＦＴＤを、下位レイヤによって提供された測定結果にセットする。
【００５１】
第５の変更
６．３．５  測定情報エレメント
＜省略されたテキスト＞
ＭｅａｓＲｅｓｕｌｔｓ
ＩＥ  ＭｅａｓＲｅｓｕｌｔｓは、周波数内、周波数間およびＲＡＴ間モビリティについて、測定された結果をカバーする。
2021514160.tif 000012
2021514160.tif 000013
2021514160.tif 000014
2021514160.tif 000015
2021514160.tif 000016
2021514160.tif 000017
【００５２】
ＭｅａｓＲｅｓｕｌｔＳＳＴＤ
ＩＥ  ＭｅａｓＲｅｓｕｌｔＳＳＴＤは、ＴＳ３６．２１４［４８］およびＴＳ３６．１３３［１６］において指定されているように、ＰＣｅｌｌとＰＳＣｅｌｌとの間のＳＦＮ、無線フレームおよびサブフレーム境界差からなる。
2021514160.tif 000018
2021514160.tif 000019
【００５３】
ＭｅａｓＲｅｓｕｌｔＳＦＴＤ
ＩＥ  ＭｅａｓＲｅｓｕｌｔＳＦＴＤは、ＴＳ３６．２１４［４８］およびＴＳ３６．１３３［１６］において指定されているように、ＰＣｅｌｌとＮＲ  ＰＳＣｅｌｌまたはセルのセットとの間のＳＦＮおよび無線フレーム境界差からなる。
2021514160.tif 000020
2021514160.tif 000021
＜省略されたテキスト＞
【００５４】
−  ＲｅｐｏｒｔＣｏｎｆｉｇＩｎｔｅｒＲＡＴ
ＩＥ  ＲｅｐｏｒｔＣｏｎｆｉｇＩｎｔｅｒＲＡＴが、ＲＡＴ間測定報告イベントのトリガリングのための基準を指定する。ＮＲ、ＵＴＲＡＮ、ＧＥＲＡＮおよびＣＤＭＡ２０００のためのＲＡＴ間測定報告イベントが、ＢＮと標示され、Ｎは、１、２などに等しい。ＷＬＡＮのためのＲＡＴ間測定報告イベントが、ＷＮと標示され、Ｎは、１、２などに等しい。
イベントＢ１：  近隣が絶対しきい値よりも良くなる、
イベントＢ２：  ＰＣｅｌｌが絶対しきい値１よりも悪くなり、近隣が別の絶対しきい値２よりも良くなる。
イベントＷ１：  ＷＬＡＮがしきい値よりも良くなる、
イベントＷ２：  ＷＬＡＮモビリティセット内のすべてのＷＬＡＮがしきい値１よりも悪くなり、ＷＬＡＮモビリティセット外のＷＬＡＮがしきい値２よりも良くなる、
イベントＷ３：  ＷＬＡＮモビリティセット内のすべてのＷＬＡＮがしきい値よりも悪くなる。
【００５５】
ＣＤＭＡ２０００のためのｂ１およびｂ２イベントしきい値が、ＣＤＭＡ２０００パイロット検出しきい値であり、０．５ｄＢの単位で［−２×１０ｌｏｇ１０Ｅｃ／Ｉｏ］に等しい符号なし２進数として表され、詳細についてはＣ．Ｓ０００５［２５］を参照されたい。
2021514160.tif 000022
2021514160.tif 000023
2021514160.tif 000024
2021514160.tif 000025
2021514160.tif 000026
【００５６】
本明細書で説明される主題は、任意の好適な構成要素を使用する任意の適切なタイプのシステムにおいて実装され得るが、本明細書で開示される実施形態は、図３に示されている例示的な無線ネットワークなどの無線ネットワークに関して説明される。簡単のために、図３の無線ネットワークは、ネットワーク３０６、ネットワークノード３６０および３６０ｂ、ならびにＷＤ３１０、３１０ｂ、および３１０ｃのみを図示する。実際には、無線ネットワークは、無線デバイス間の通信、あるいは無線デバイスと、固定電話、サービスプロバイダ、または任意の他のネットワークノードもしくはエンドデバイスなどの別の通信デバイスとの間の通信をサポートするのに好適な任意の追加のエレメントをさらに含み得る。示されている構成要素のうち、ネットワークノード３６０および無線デバイス（ＷＤ）３１０は、追加の詳細とともに図示される。無線ネットワークは、１つまたは複数の無線デバイスに通信および他のタイプのサービスを提供して、無線デバイスの、無線ネットワークへのアクセス、および／あるいは、無線ネットワークによってまたは無線ネットワークを介して提供されるサービスの使用を容易にし得る。
【００５７】
無線ネットワークは、任意のタイプの通信、電気通信、データ、セルラー、および／または無線ネットワーク、あるいは他の同様のタイプのシステムを含み、および／またはそれらとインターフェースし得る。いくつかの実施形態では、無線ネットワークは、特定の規格あるいは他のタイプのあらかじめ規定されたルールまたはプロシージャに従って動作するように設定され得る。したがって、無線ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、ならびに／あるいは他の好適な２Ｇ、３Ｇ、４Ｇ、または５Ｇ規格などの通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、Ｚ−Ｗａｖｅおよび／またはＺｉｇＢｅｅ規格など、任意の他の適切な無線通信規格を実装し得る。しかしながら、いくつかの好ましい実施形態では、無線ネットワークは、上記で説明されたように、ＮＲと呼ばれる、３ＧＰＰ  ５Ｇ規格に従って動作するように設定される。
【００５８】
ネットワーク３０６は、１つまたは複数のバックホールネットワーク、コアネットワーク、ＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００５９】
ネットワークノード３６０およびＷＤ３１０は、以下でより詳細に説明される様々な構成要素を備える。これらの構成要素は、無線ネットワークにおいて無線接続を提供することなど、ネットワークノードおよび／または無線デバイス機能性を提供するために協働する。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る、任意の他の構成要素またはシステムを備え得る。
【００６０】
本明細書で使用されるネットワークノードは、無線デバイスと、ならびに／あるいは、無線デバイスへの無線アクセスを可能にし、および／または提供する、および／または、無線ネットワークにおいて他の機能（たとえば、アドミニストレーション）を実施するための、無線ネットワーク中の他のネットワークノードまたは機器と、直接または間接的に通信することが可能な、そうするように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）、およびｇＮＢ）を含む。基地局は、基地局が提供するカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。基地局は、リレーを制御する、リレーノードまたはリレードナーノードであり得る。ネットワークノードは、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含み得る。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。別の例として、ネットワークノードは、以下でより詳細に説明されるように、仮想ネットワークノードであり得る。しかしながら、より一般的には、ネットワークノードは、無線ネットワークへのアクセスを可能にし、および／または無線デバイスに提供し、あるいは、無線ネットワークにアクセスした無線デバイスに何らかのサービスを提供することが可能な、そうするように設定された、構成された、および／または動作可能な任意の好適なデバイス（またはデバイスのグループ）を表し得る。
【００６１】
図３では、ネットワークノード３６０は、処理回路要素３７０と、デバイス可読媒体３８０と、インターフェース３９０と、補助機器３８４と、電源３８６と、電力回路要素３８７と、アンテナ３６２とを含む。図３の例示的な無線ネットワーク中に示されているネットワークノード３６０は、ハードウェア構成要素の示されている組合せを含むデバイスを表し得るが、他の実施形態は、構成要素の異なる組合せをもつネットワークノードを備え得る。ネットワークノードが、本明細書で開示されるタスク、特徴、機能および方法を実施するために必要とされるハードウェアおよび／またはソフトウェアの任意の好適な組合せを備えることを理解されたい。その上、ネットワークノード３６０の構成要素が、より大きいボックス内に位置する単一のボックスとして、または複数のボックス内で入れ子にされている単一のボックスとして図示されているが、実際には、ネットワークノードは、単一の示されている構成要素を組成する複数の異なる物理構成要素を備え得る（たとえば、デバイス可読媒体３８０は、複数の別個のハードドライブならびに複数のＲＡＭモジュールを備え得る）。
【００６２】
同様に、ネットワークノード３６０は、複数の物理的に別個の構成要素（たとえば、ノードＢ構成要素およびＲＮＣ構成要素、またはＢＴＳ構成要素およびＢＳＣ構成要素など）から組み立てられ得、これらは各々、それら自体のそれぞれの構成要素を有し得る。ネットワークノード３６０が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＲＮＣとのペアは、いくつかの事例では、単一の別個のネットワークノードと見なされ得る。いくつかの実施形態では、ネットワークノード３６０は、複数の無線アクセス技術（ＲＡＴ）をサポートするように設定され得る。そのような実施形態では、いくつかの構成要素は複製され得（たとえば、異なるＲＡＴのための別個のデバイス可読媒体３８０）、いくつかの構成要素は再使用され得る（たとえば、同じアンテナ３６２がＲＡＴによって共有され得る）。ネットワークノード３６０は、ネットワークノード３６０に統合された、たとえば、ＧＳＭ、ＷＣＤＭＡ、ＬＴＥ、ＮＲ、ＷｉＦｉ、またはＢｌｕｅｔｏｏｔｈ無線技術など、異なる無線技術のための様々な示されている構成要素の複数のセットをも含み得る。これらの無線技術は、同じまたは異なるチップまたはチップのセット、およびネットワークノード３６０内の他の構成要素に統合され得る。
【００６３】
処理回路要素３７０は、ネットワークノードによって提供されるものとして本明細書で説明される、任意の決定動作、計算動作、または同様の動作（たとえば、いくつかの取得動作）を実施するように設定される。処理回路要素３７０によって実施されるこれらの動作は、処理回路要素３７０によって取得された情報を、たとえば、取得された情報を他の情報に変換することによって、処理すること、取得された情報または変換された情報をネットワークノードに記憶された情報と比較すること、ならびに／あるいは、取得された情報または変換された情報に基づいて、および前記処理が決定を行ったことの結果として、１つまたは複数の動作を実施することを含み得る。
【００６４】
処理回路要素３７０は、単体で、またはデバイス可読媒体３８０などの他のネットワークノード３６０構成要素と併せてのいずれかで、ネットワークノード３６０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。たとえば、処理回路要素３７０は、デバイス可読媒体３８０に記憶された命令、または処理回路要素３７０内のメモリに記憶された命令を実行し得る。そのような機能性は、本明細書で説明される様々な無線特徴、機能、または利益のうちのいずれかを提供することを含み得る。いくつかの実施形態では、処理回路要素３７０は、システムオンチップ（ＳＯＣ）を含み得る。
【００６５】
いくつかの実施形態では、処理回路要素３７０は、無線周波数（ＲＦ）トランシーバ回路要素３７２とベースバンド処理回路要素３７４とのうちの１つまたは複数を含み得る。いくつかの実施形態では、無線周波数（ＲＦ）トランシーバ回路要素３７２とベースバンド処理回路要素３７４とは、別個のチップ（またはチップのセット）、ボード、または無線ユニットおよびデジタルユニットなどのユニット上にあり得る。代替実施形態では、ＲＦトランシーバ回路要素３７２とベースバンド処理回路要素３７４との一部または全部は、同じチップまたはチップのセット、ボード、あるいはユニット上にあり得る。
【００６６】
いくつかの実施形態では、ネットワークノード、基地局、ｅＮＢまたは他のそのようなネットワークデバイスによって提供されるものとして本明細書で説明される機能性の一部または全部は、デバイス可読媒体３８０、または処理回路要素３７０内のメモリに記憶された、命令を実行する処理回路要素３７０によって実施され得る。代替実施形態では、機能性の一部または全部は、ハードワイヤード様式などで、別個のまたは個別のデバイス可読媒体に記憶された命令を実行することなしに、処理回路要素３７０によって提供され得る。それらの実施形態のいずれでも、デバイス可読記憶媒体に記憶された命令を実行するか否かにかかわらず、処理回路要素３７０は、説明される機能性を実施するように設定され得る。そのような機能性によって提供される利益は、処理回路要素３７０単独に、またはネットワークノード３６０の他の構成要素に限定されないが、全体としてネットワークノード３６０によって、ならびに／または概してエンドユーザおよび無線ネットワークによって、享受される。
【００６７】
デバイス可読媒体３８０は、限定はしないが、永続記憶域、固体メモリ、リモートマウントメモリ、磁気媒体、光媒体、ランダムアクセスメモリ（ＲＡＭ）、読取り専用メモリ（ＲＯＭ）、大容量記憶媒体（たとえば、ハードディスク）、リムーバブル記憶媒体（たとえば、フラッシュドライブ、コンパクトディスク（ＣＤ）またはデジタルビデオディスク（ＤＶＤ））を含む、任意の形態の揮発性または不揮発性コンピュータ可読メモリ、ならびに／あるいは、処理回路要素３７０によって使用され得る情報、データ、および／または命令を記憶する、任意の他の揮発性または不揮発性、非一時的デバイス可読および／またはコンピュータ実行可能メモリデバイスを備え得る。デバイス可読媒体３８０は、コンピュータプログラム、ソフトウェア、論理、ルール、コード、表などのうちの１つまたは複数を含むアプリケーション、および／または処理回路要素３７０によって実行されることが可能であり、ネットワークノード３６０によって利用される、他の命令を含む、任意の好適な命令、データまたは情報を記憶し得る。デバイス可読媒体３８０は、処理回路要素３７０によって行われた計算および／またはインターフェース３９０を介して受信されたデータを記憶するために使用され得る。いくつかの実施形態では、処理回路要素３７０およびデバイス可読媒体３８０は、統合されていると見なされ得る。
【００６８】
インターフェース３９０は、ネットワークノード３６０、ネットワーク３０６、および／またはＷＤ３１０の間のシグナリングおよび／またはデータの有線または無線通信において使用される。示されているように、インターフェース３９０は、たとえば有線接続上でネットワーク３０６との間でデータを送るおよび受信するための（１つまたは複数の）ポート／（１つまたは複数の）端末３９４を備える。インターフェース３９０は、アンテナ３６２に結合されるか、またはいくつかの実施形態では、アンテナ３６２の一部であり得る、無線フロントエンド回路要素３９２をも含む。無線フロントエンド回路要素３９２は、フィルタ３９８と増幅器３９６とを備える。無線フロントエンド回路要素３９２は、アンテナ３６２および処理回路要素３７０に接続され得る。無線フロントエンド回路要素は、アンテナ３６２と処理回路要素３７０との間で通信される信号を調節するように設定され得る。無線フロントエンド回路要素３９２は、無線接続を介して他のネットワークノードまたはＷＤに送出されるべきであるデジタルデータを受信し得る。無線フロントエンド回路要素３９２は、デジタルデータを、フィルタ３９８および／または増幅器３９６の組合せを使用して適切なチャネルおよび帯域幅パラメータを有する無線信号に変換し得る。無線信号は、次いで、アンテナ３６２を介して送信され得る。同様に、データを受信するとき、アンテナ３６２は無線信号を集め得、次いで、無線信号は無線フロントエンド回路要素３９２によってデジタルデータに変換される。デジタルデータは、処理回路要素３７０に受け渡され得る。他の実施形態では、インターフェースは、異なる構成要素および／または構成要素の異なる組合せを備え得る。
【００６９】
いくつかの代替実施形態では、ネットワークノード３６０は別個の無線フロントエンド回路要素３９２を含まないことがあり、代わりに、処理回路要素３７０は、無線フロントエンド回路要素を備え得、別個の無線フロントエンド回路要素３９２なしでアンテナ３６２に接続され得る。同様に、いくつかの実施形態では、ＲＦトランシーバ回路要素３７２の全部または一部が、インターフェース３９０の一部と見なされ得る。さらに他の実施形態では、インターフェース３９０は、無線ユニット（図示せず）の一部として、１つまたは複数のポートまたは端末３９４と、無線フロントエンド回路要素３９２と、ＲＦトランシーバ回路要素３７２とを含み得、インターフェース３９０は、デジタルユニット（図示せず）の一部であるベースバンド処理回路要素３７４と通信し得る。
【００７０】
アンテナ３６２は、無線信号を送り、および／または受信するように設定された、１つまたは複数のアンテナまたはアンテナアレイを含み得る。アンテナ３６２は、無線フロントエンド回路要素３９２に結合され得、データおよび／または信号を無線で送信および受信することが可能な任意のタイプのアンテナであり得る。いくつかの実施形態では、アンテナ３６２は、たとえば２ＧＨｚから６６ＧＨｚの間の無線信号を送信／受信するように動作可能な１つまたは複数の全方向、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。いくつかの事例では、２つ以上のアンテナの使用は、ＭＩＭＯと呼ばれることがある。いくつかの実施形態では、アンテナ３６２は、ネットワークノード３６０とは別個であり得、インターフェースまたはポートを通してネットワークノード３６０に接続可能であり得る。
【００７１】
アンテナ３６２、インターフェース３９０、および／または処理回路要素３７０は、ネットワークノードによって実施されるものとして本明細書で説明される任意の受信動作および／またはいくつかの取得動作を実施するように設定され得る。任意の情報、データおよび／または信号が、無線デバイス、別のネットワークノードおよび／または任意の他のネットワーク機器から受信され得る。同様に、アンテナ３６２、インターフェース３９０、および／または処理回路要素３７０は、ネットワークノードによって実施されるものとして本明細書で説明される任意の送信動作を実施するように設定され得る。任意の情報、データおよび／または信号が、無線デバイス、別のネットワークノードおよび／または任意の他のネットワーク機器に送信され得る。
【００７２】
電力回路要素３８７は、電力管理回路要素を備えるか、または電力管理回路要素に結合され得、本明細書で説明される機能性を実施するための電力を、ネットワークノード３６０の構成要素に供給するように設定される。電力回路要素３８７は、電源３８６から電力を受信し得る。電源３８６および／または電力回路要素３８７は、それぞれの構成要素に好適な形式で（たとえば、各それぞれの構成要素のために必要とされる電圧および電流レベルにおいて）、ネットワークノード３６０の様々な構成要素に電力を提供するように設定され得る。電源３８６は、電力回路要素３８７および／またはネットワークノード３６０中に含まれるか、あるいは電力回路要素３８７および／またはネットワークノード３６０の外部にあるかのいずれかであり得る。たとえば、ネットワークノード３６０は、電気ケーブルなどの入力回路要素またはインターフェースを介して外部電源（たとえば、電気コンセント）に接続可能であり得、それにより、外部電源は電力回路要素３８７に電力を供給する。さらなる例として、電源３８６は、電力回路要素３８７に接続された、または電力回路要素３８７中で統合された、バッテリーまたはバッテリーパックの形態の電力源を備え得る。バッテリーは、外部電源が落ちた場合、バックアップ電力を提供し得る。光起電力デバイスなどの他のタイプの電源も使用され得る。
【００７３】
ネットワークノード３６０の代替実施形態は、本明細書で説明される機能性、および／または本明細書で説明される主題をサポートするために必要な機能性のうちのいずれかを含む、ネットワークノードの機能性のいくつかの態様を提供することを担当し得る、図３に示されている構成要素以外の追加の構成要素を含み得る。たとえば、ネットワークノード３６０は、ネットワークノード３６０への情報の入力を可能にするための、およびネットワークノード３６０からの情報の出力を可能にするための、ユーザインターフェース機器を含み得る。これは、ユーザが、ネットワークノード３６０のための診断、メンテナンス、修復、および他のアドミニストレーティブ機能を実施することを可能にし得る。
【００７４】
本明細書で使用される無線デバイス（ＷＤ）は、ネットワークノードおよび／または他の無線デバイスと無線で通信することが可能な、そうするように設定された、構成された、および／または動作可能なデバイスを指す。別段に記載されていない限り、ＷＤという用語は、本明細書ではユーザ機器（ＵＥ）と互換的に使用され得る。無線で通信することは、空中で情報を伝達するのに好適な、電磁波、電波、赤外波、および／または他のタイプの信号を使用して無線信号を送信および／または受信することを伴い得る。いくつかの実施形態では、ＷＤは、直接人間対話なしに情報を送信および／または受信するように設定され得る。たとえば、ＷＤは、内部または外部イベントによってトリガされたとき、あるいはネットワークからの要求に応答して、所定のスケジュールでネットワークに情報を送信するように設計され得る。ＷＤの例は、限定はしないが、スマートフォン、モバイルフォン、セルフォン、ボイスオーバーＩＰ（ＶｏＩＰ）フォン、無線ローカルループ電話、デスクトップコンピュータ、携帯情報端末（ＰＤＡ）、無線カメラ、ゲーミングコンソールまたはデバイス、音楽記憶デバイス、再生器具、ウェアラブル端末デバイス、無線エンドポイント、移動局、タブレット、ラップトップ、ラップトップ内蔵機器（ＬＥＥ）、ラップトップ搭載機器（ＬＭＥ）、スマートデバイス、無線顧客構内機器（ＣＰＥ：ｃｕｓｔｏｍｅｒ  ｐｒｅｍｉｓｅ  ｅｑｕｉｐｍｅｎｔ）、車載無線端末デバイスなどを含む。ＷＤは、たとえばサイドリンク通信のための３ＧＰＰ規格を実装することによって、デバイスツーデバイス（Ｄ２Ｄ）通信をサポートし得、この場合、Ｄ２Ｄ通信デバイスと呼ばれることがある。また別の特定の例として、モノのインターネット（ＩｏＴ）シナリオでは、ＷＤは、監視および／または測定を実施し、そのような監視および／または測定の結果を別のＷＤおよび／またはネットワークノードに送信する、マシンまたは他のデバイスを表し得る。ＷＤは、この場合、マシンツーマシン（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、ＷＤは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具（たとえば冷蔵庫、テレビジョンなど）、個人用ウェアラブル（たとえば、時計、フィットネストラッカーなど）である。他のシナリオでは、ＷＤは車両または他の機器を表し得、車両または他の機器は、その動作ステータスを監視することおよび／またはその動作ステータスに関して報告すること、あるいはその動作に関連付けられた他の機能が可能である。上記で説明されたＷＤは無線接続のエンドポイントを表し得、その場合には、デバイスは無線端末と呼ばれることがある。さらに、上記で説明されたＷＤはモバイルであり得、その場合には、デバイスはモバイルデバイスまたはモバイル端末と呼ばれることもある。
【００７５】
示されているように、無線デバイス３１０は、アンテナ３１１と、インターフェース３１４と、処理回路要素３２０と、デバイス可読媒体３３０と、ユーザインターフェース機器３３２と、補助機器３３４と、電源３３６と、電力回路要素３３７とを含む。ＷＤ３１０は、ＷＤ３１０によってサポートされる、たとえば、ほんの数個を挙げると、ＧＳＭ、ＷＣＤＭＡ、ＬＴＥ、ＮＲ、ＷｉＦｉ、ＷｉＭＡＸ、またはＢｌｕｅｔｏｏｔｈ無線技術など、異なる無線技術のための示されている構成要素のうちの１つまたは複数の複数のセットを含み得る。これらの無線技術は、ＷＤ３１０内の他の構成要素と同じまたは異なるチップまたはチップのセットに統合され得る。
【００７６】
アンテナ３１１は、無線信号を送り、および／または受信するように設定された、１つまたは複数のアンテナまたはアンテナアレイを含み得、インターフェース３１４に接続される。いくつかの代替実施形態では、アンテナ３１１は、ＷＤ３１０とは別個であり、インターフェースまたはポートを通してＷＤ３１０に接続可能であり得る。アンテナ３１１、インターフェース３１４、および／または処理回路要素３２０は、ＷＤによって実施されるものとして本明細書で説明される任意の受信動作または送信動作を実施するように設定され得る。任意の情報、データおよび／または信号が、ネットワークノードおよび／または別のＷＤから受信され得る。いくつかの実施形態では、無線フロントエンド回路要素および／またはアンテナ３１１は、インターフェースと見なされ得る。
【００７７】
示されているように、インターフェース３１４は、無線フロントエンド回路要素３１２とアンテナ３１１とを備える。無線フロントエンド回路要素３１２は、１つまたは複数のフィルタ３１８と増幅器３１６とを備える。無線フロントエンド回路要素３１２は、アンテナ３１１および処理回路要素３２０に接続され、アンテナ３１１と処理回路要素３２０との間で通信される信号を調節するように設定される。無線フロントエンド回路要素３１２は、アンテナ３１１に結合されるか、またはアンテナ３１１の一部であり得る。いくつかの実施形態では、ＷＤ３１０は別個の無線フロントエンド回路要素３１２を含まないことがあり、むしろ、処理回路要素３２０は、無線フロントエンド回路要素を備え得、アンテナ３１１に接続され得る。同様に、いくつかの実施形態では、ＲＦトランシーバ回路要素３２２の一部または全部が、インターフェース３１４の一部と見なされ得る。無線フロントエンド回路要素３１２は、無線接続を介して他のネットワークノードまたはＷＤに送出されるべきであるデジタルデータを受信し得る。無線フロントエンド回路要素３１２は、デジタルデータを、フィルタ３１８および／または増幅器３１６の組合せを使用して適切なチャネルおよび帯域幅パラメータを有する無線信号に変換し得る。無線信号は、次いで、アンテナ３１１を介して送信され得る。同様に、データを受信するとき、アンテナ３１１は無線信号を集め得、次いで、無線信号は無線フロントエンド回路要素３１２によってデジタルデータに変換される。デジタルデータは、処理回路要素３２０に受け渡され得る。他の実施形態では、インターフェースは、異なる構成要素および／または構成要素の異なる組合せを備え得る。
【００７８】
処理回路要素３２０は、単体で、またはデバイス可読媒体３３０などの他のＷＤ３１０構成要素と併せてのいずれかで、ＷＤ３１０機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せを備え得る。そのような機能性は、本明細書で説明される様々な無線特徴または利益のうちのいずれかを提供することを含み得る。たとえば、処理回路要素３２０は、本明細書で開示される機能性を提供するために、デバイス可読媒体３３０に記憶された命令、または処理回路要素３２０内のメモリに記憶された命令を実行し得る。
【００７９】
示されているように、処理回路要素３２０は、ＲＦトランシーバ回路要素３２２、ベースバンド処理回路要素３２４、およびアプリケーション処理回路要素３２６のうちの１つまたは複数を含む。他の実施形態では、処理回路要素は、異なる構成要素および／または構成要素の異なる組合せを備え得る。いくつかの実施形態では、ＷＤ３１０の処理回路要素３２０は、ＳＯＣを備え得る。いくつかの実施形態では、ＲＦトランシーバ回路要素３２２、ベースバンド処理回路要素３２４、およびアプリケーション処理回路要素３２６は、別個のチップまたはチップのセット上にあり得る。代替実施形態では、ベースバンド処理回路要素３２４およびアプリケーション処理回路要素３２６の一部または全部は１つのチップまたはチップのセットになるように組み合わせられ得、ＲＦトランシーバ回路要素３２２は別個のチップまたはチップのセット上にあり得る。さらに代替の実施形態では、ＲＦトランシーバ回路要素３２２およびベースバンド処理回路要素３２４の一部または全部は同じチップまたはチップのセット上にあり得、アプリケーション処理回路要素３２６は別個のチップまたはチップのセット上にあり得る。また他の代替実施形態では、ＲＦトランシーバ回路要素３２２、ベースバンド処理回路要素３２４、およびアプリケーション処理回路要素３２６の一部または全部は、同じチップまたはチップのセット中で組み合わせられ得る。いくつかの実施形態では、ＲＦトランシーバ回路要素３２２は、インターフェース３１４の一部であり得る。ＲＦトランシーバ回路要素３２２は、処理回路要素３２０のためのＲＦ信号を調節し得る。
【００８０】
いくつかの実施形態では、ＷＤによって実施されるものとして本明細書で説明される機能性の一部または全部は、デバイス可読媒体３３０に記憶された命令を実行する処理回路要素３２０によって提供され得、デバイス可読媒体３３０は、いくつかの実施形態では、コンピュータ可読記憶媒体であり得る。代替実施形態では、機能性の一部または全部は、ハードワイヤード様式などで、別個のまたは個別のデバイス可読記憶媒体に記憶された命令を実行することなしに、処理回路要素３２０によって提供され得る。それらの特定の実施形態のいずれでも、デバイス可読記憶媒体に記憶された命令を実行するか否かにかかわらず、処理回路要素３２０は、説明される機能性を実施するように設定され得る。そのような機能性によって提供される利益は、処理回路要素３２０単独に、またはＷＤ３１０の他の構成要素に限定されないが、全体としてＷＤ３１０によって、ならびに／または概してエンドユーザおよび無線ネットワークによって、享受される。
【００８１】
処理回路要素３２０は、ＷＤによって実施されるものとして本明細書で説明される、任意の決定動作、計算動作、または同様の動作（たとえば、いくつかの取得動作）を実施するように設定され得る。処理回路要素３２０によって実施されるようなこれらの動作は、処理回路要素３２０によって取得された情報を、たとえば、取得された情報を他の情報に変換することによって、処理すること、取得された情報または変換された情報をＷＤ３１０によって記憶された情報と比較すること、ならびに／あるいは、取得された情報または変換された情報に基づいて、および前記処理が決定を行ったことの結果として、１つまたは複数の動作を実施することを含み得る。
【００８２】
デバイス可読媒体３３０は、コンピュータプログラム、ソフトウェア、論理、ルール、コード、テーブルなどのうちの１つまたは複数を含むアプリケーション、および／または処理回路要素３２０によって実行されることが可能な他の命令を記憶するように動作可能であり得る。デバイス可読媒体３３０は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素３２０によって使用され得る情報、データ、および／または命令を記憶する、任意の他の揮発性または不揮発性、非一時的デバイス可読および／またはコンピュータ実行可能メモリデバイスを含み得る。いくつかの実施形態では、処理回路要素３２０およびデバイス可読媒体３３０は、統合されていると見なされ得る。
【００８３】
ユーザインターフェース機器３３２は、人間のユーザがＷＤ３１０と対話することを可能にする構成要素を提供し得る。そのような対話は、視覚、聴覚、触覚など、多くの形態のものであり得る。ユーザインターフェース機器３３２は、ユーザへの出力を作り出すように、およびユーザがＷＤ３１０への入力を提供することを可能にするように動作可能であり得る。対話のタイプは、ＷＤ３１０にインストールされるユーザインターフェース機器３３２のタイプに応じて変化し得る。たとえば、ＷＤ３１０がスマートフォンである場合、対話はタッチスクリーンを介したものであり得、ＷＤ３１０がスマートメーターである場合、対話は、使用量（たとえば、使用されたガロンの数）を提供するスクリーン、または（たとえば、煙が検出された場合）可聴警報を提供するスピーカーを通したものであり得る。ユーザインターフェース機器３３２は、入力インターフェース、デバイスおよび回路、ならびに、出力インターフェース、デバイスおよび回路を含み得る。ユーザインターフェース機器３３２は、ＷＤ３１０への情報の入力を可能にするように設定され、処理回路要素３２０が入力情報を処理することを可能にするために、処理回路要素３２０に接続される。ユーザインターフェース機器３３２は、たとえば、マイクロフォン、近接度または他のセンサー、キー／ボタン、タッチディスプレイ、１つまたは複数のカメラ、ＵＳＢポート、あるいは他の入力回路要素を含み得る。ユーザインターフェース機器３３２はまた、ＷＤ３１０からの情報の出力を可能にするように、および処理回路要素３２０がＷＤ３１０からの情報を出力することを可能にするように設定される。ユーザインターフェース機器３３２は、たとえば、スピーカー、ディスプレイ、振動回路要素、ＵＳＢポート、ヘッドフォンインターフェース、または他の出力回路要素を含み得る。ユーザインターフェース機器３３２の１つまたは複数の入力および出力インターフェース、デバイス、および回路を使用して、ＷＤ３１０は、エンドユーザおよび／または無線ネットワークと通信し、エンドユーザおよび／または無線ネットワークが本明細書で説明される機能性から利益を得ることを可能にし得る。
【００８４】
補助機器３３４は、概してＷＤによって実施されないことがある、より固有の機能性を提供するように動作可能である。これは、様々な目的のために測定を行うための特殊化されたセンサー、有線通信などのさらなるタイプの通信のためのインターフェースなどを備え得る。補助機器３３４の構成要素の包含およびタイプは、実施形態および／またはシナリオに応じて変化し得る。
【００８５】
電源３３６は、いくつかの実施形態では、バッテリーまたはバッテリーパックの形態のものであり得る。外部電源（たとえば、電気コンセント）、光起電力デバイスまたは電池など、他のタイプの電源も使用され得る。ＷＤ３１０は、電源３３６から、本明細書で説明または指示される任意の機能性を行うために電源３３６からの電力を必要とする、ＷＤ３１０の様々な部分に電力を配信するための、電力回路要素３３７をさらに備え得る。電力回路要素３３７は、いくつかの実施形態では、電力管理回路要素を備え得る。電力回路要素３３７は、追加または代替として、外部電源から電力を受信するように動作可能であり得、その場合、ＷＤ３１０は、電力ケーブルなどの入力回路要素またはインターフェースを介して（電気コンセントなどの）外部電源に接続可能であり得る。電力回路要素３３７はまた、いくつかの実施形態では、外部電源から電源３３６に電力を配信するように動作可能であり得る。これは、たとえば、電源３３６の充電のためのものであり得る。電力回路要素３３７は、電源３３６からの電力に対して、その電力を、電力が供給されるＷＤ３１０のそれぞれの構成要素に好適であるようにするために、任意のフォーマッティング、変換、または他の修正を実施し得る。
【００８６】
図４は、本明細書で説明される様々な態様による、ＵＥの一実施形態を示す。本明細書で使用されるユーザ機器またはＵＥは、必ずしも、関連するデバイスを所有し、および／または動作させる人間のユーザという意味におけるユーザを有するとは限らない。代わりに、ＵＥは、人間のユーザへの販売、または人間のユーザによる動作を意図されるが、特定の人間のユーザに関連付けられないことがあるか、または特定の人間のユーザに初めに関連付けられないことがある、デバイスを表し得る。ＵＥはまた、人間のユーザへの販売、または人間のユーザによる動作を意図されないＮＢ−ＩｏＴ  ＵＥを含む、第３世代パートナーシッププロジェクト（３ＧＰＰ）によって識別される任意のＵＥを備え得る。図４に示されているＵＥ４００は、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＷＤの一例である。前述のように、ＷＤおよびＵＥという用語は、互換的に使用され得る。したがって、図４はＵＥであるが、本明細書で説明される構成要素は、ＷＤに等しく適用可能であり、その逆も同様である。
【００８７】
図４では、ＵＥ４００は、入出力インターフェース４０５、無線周波数（ＲＦ）インターフェース４０９、ネットワーク接続インターフェース４１１、ランダムアクセスメモリ（ＲＡＭ）４１７と読取り専用メモリ（ＲＯＭ）４１９と記憶媒体４２１などとを含むメモリ４１５、通信サブシステム４３１、電源４１３、および／または他の構成要素、あるいはそれらの任意の組合せに動作可能に結合された、処理回路要素４０１を含む。記憶媒体４２１は、オペレーティングシステム４２３と、アプリケーションプログラム４２５と、データ４２７とを含む。他の実施形態では、記憶媒体４２１は、他の同様のタイプの情報を含み得る。いくつかのＵＥは、図４に示されている構成要素のすべてを利用するか、またはそれらの構成要素のサブセットのみを利用し得る。構成要素間の統合のレベルは、ＵＥごとに変化し得る。さらに、いくつかのＵＥは、複数のプロセッサ、メモリ、トランシーバ、送信機、受信機など、構成要素の複数のインスタンスを含んでいることがある。
【００８８】
図４では、処理回路要素４０１は、コンピュータ命令およびデータを処理するように設定され得る。処理回路要素４０１は、（たとえば、ディスクリート論理、ＦＰＧＡ、ＡＳＩＣなどにおける）１つまたは複数のハードウェア実装状態機械など、機械可読コンピュータプログラムとしてメモリに記憶された機械命令を実行するように動作可能な任意の逐次状態機械、適切なファームウェアと一緒のプログラマブル論理、適切なソフトウェアと一緒のマイクロプロセッサまたはデジタル信号プロセッサ（ＤＳＰ）など、１つまたは複数のプログラム内蔵、汎用プロセッサ、あるいは上記の任意の組合せを実装するように設定され得る。たとえば、処理回路要素４０１は、２つの中央処理ユニット（ＣＰＵ）を含み得る。データは、コンピュータによる使用に好適な形式での情報であり得る。
【００８９】
図示された実施形態では、入出力インターフェース４０５は、入力デバイス、出力デバイス、または入出力デバイスに通信インターフェースを提供するように設定され得る。ＵＥ４００は、入出力インターフェース４０５を介して出力デバイスを使用するように設定され得る。出力デバイスは、入力デバイスと同じタイプのインターフェースポートを使用し得る。たとえば、ＵＥ４００への入力およびＵＥ４００からの出力を提供するために、ＵＳＢポートが使用され得る。出力デバイスは、スピーカー、サウンドカード、ビデオカード、ディスプレイ、モニタ、プリンタ、アクチュエータ、エミッタ、スマートカード、別の出力デバイス、またはそれらの任意の組合せであり得る。ＵＥ４００は、ユーザがＵＥ４００に情報をキャプチャすることを可能にするために、入出力インターフェース４０５を介して入力デバイスを使用するように設定され得る。入力デバイスは、タッチセンシティブまたはプレゼンスセンシティブディスプレイ、カメラ（たとえば、デジタルカメラ、デジタルビデオカメラ、ウェブカメラなど）、マイクロフォン、センサー、マウス、トラックボール、方向パッド、トラックパッド、スクロールホイール、スマートカードなどを含み得る。プレゼンスセンシティブディスプレイは、ユーザからの入力を検知するための容量性または抵抗性タッチセンサーを含み得る。センサーは、たとえば、加速度計、ジャイロスコープ、チルトセンサー、力センサー、磁力計、光センサー、近接度センサー、別の同様のセンサー、またはそれらの任意の組合せであり得る。たとえば、入力デバイスは、加速度計、磁力計、デジタルカメラ、マイクロフォン、および光センサーであり得る。
【００９０】
図４では、ＲＦインターフェース４０９は、送信機、受信機、およびアンテナなど、ＲＦ構成要素に通信インターフェースを提供するように設定され得る。ネットワーク接続インターフェース４１１は、ネットワーク４４３ａに通信インターフェースを提供するように設定され得る。ネットワーク４４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク４４３ａは、Ｗｉ−Ｆｉネットワークを備え得る。ネットワーク接続インターフェース４１１は、イーサネット、ＴＣＰ／ＩＰ、ＳＯＮＥＴ、ＡＴＭなど、１つまたは複数の通信プロトコルに従って通信ネットワーク上で１つまたは複数の他のデバイスと通信するために使用される、受信機および送信機インターフェースを含むように設定され得る。ネットワーク接続インターフェース４１１は、通信ネットワークリンク（たとえば、光学的、電気的など）に適した受信機および送信機機能性を実装し得る。送信機および受信機機能は、回路構成要素、ソフトウェアまたはファームウェアを共有し得るか、あるいは、代替的に、別個に実装され得る。
【００９１】
ＲＡＭ４１７は、オペレーティングシステム、アプリケーションプログラム、およびデバイスドライバなど、ソフトウェアプログラムの実行中に、データまたはコンピュータ命令の記憶またはキャッシングを提供するために、バス４０２を介して処理回路要素４０１にインターフェースするように設定され得る。ＲＯＭ４１９は、処理回路要素４０１にコンピュータ命令またはデータを提供するように設定され得る。たとえば、ＲＯＭ４１９は、不揮発性メモリに記憶される、基本入出力（Ｉ／Ｏ）、起動、またはキーボードからのキーストロークの受信など、基本システム機能のための、不変低レベルシステムコードまたはデータを記憶するように設定され得る。記憶媒体４２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピーディスク、ハードディスク、取外し可能カートリッジ、またはフラッシュドライブなど、メモリを含むように設定され得る。一例では、記憶媒体４２１は、オペレーティングシステム４２３と、ウェブブラウザアプリケーション、ウィジェットまたはガジェットエンジン、あるいは別のアプリケーションなどのアプリケーションプログラム４２５と、データファイル４２７とを含むように設定され得る。記憶媒体４２１は、ＵＥ４００による使用のために、多様な様々なオペレーティングシステムまたはオペレーティングシステムの組合せのうちのいずれかを記憶し得る。
【００９２】
記憶媒体４２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内蔵ハードディスクドライブ、Ｂｌｕ−Ｒａｙ光ディスクドライブ、ホログラフィックデジタルデータ記憶（ＨＤＤＳ）光ディスクドライブ、外部ミニデュアルインラインメモリモジュール（ＤＩＭＭ）、シンクロナスダイナミックランダムアクセスメモリ（ＳＤＲＡＭ）、外部マイクロＤＩＭＭ  ＳＤＲＡＭ、加入者識別モジュールまたはリムーバブルユーザ識別情報（ＳＩＭ／ＲＵＩＭ）モジュールなどのスマートカードメモリ、他のメモリ、またはそれらの任意の組合せなど、いくつかの物理ドライブユニットを含むように設定され得る。記憶媒体４２１は、ＵＥ４００が、一時的または非一時的メモリ媒体に記憶されたコンピュータ実行可能命令、アプリケーションプログラムなどにアクセスすること、データをオフロードすること、またはデータをアップロードすることを可能にし得る。通信システムを利用する製造品などの製造品は、記憶媒体４２１中に有形に具現され得、記憶媒体４２１はデバイス可読媒体を備え得る。
【００９３】
図４では、処理回路要素４０１は、通信サブシステム４３１を使用してネットワーク４４３ｂと通信するように設定され得る。ネットワーク４４３ａとネットワーク４４３ｂとは、同じ１つまたは複数のネットワークまたは異なる１つまたは複数のネットワークであり得る。通信サブシステム４３１は、ネットワーク４４３ｂと通信するために使用される１つまたは複数のトランシーバを含むように設定され得る。たとえば、通信サブシステム４３１は、ＩＥＥＥ８０２．３、ＣＤＭＡ、ＷＣＤＭＡ、ＧＳＭ、ＬＴＥ、ＵＴＲＡＮ、ＷｉＭａｘなど、１つまたは複数の通信プロトコルに従って、無線アクセスネットワーク（ＲＡＮ）の別のＷＤ、ＵＥ、または基地局など、無線通信が可能な別のデバイスの１つまたは複数のリモートトランシーバと通信するために使用される、１つまたは複数のトランシーバを含むように設定され得る。各トランシーバは、ＲＡＮリンク（たとえば、周波数割り当てなど）に適した送信機機能性または受信機機能性をそれぞれ実装するための、送信機４３３および／または受信機４３５を含み得る。さらに、各トランシーバの送信機４３３および受信機４３５は、回路構成要素、ソフトウェアまたはファームウェアを共有し得るか、または、代替的に、別個に実装され得る。
【００９４】
示されている実施形態では、通信サブシステム４３１の通信機能は、データ通信、ボイス通信、マルチメディア通信、Ｂｌｕｅｔｏｏｔｈなどの短距離通信、ニアフィールド通信、ロケーションを決定するための全地球測位システム（ＧＰＳ）の使用などのロケーションベース通信、別の同様の通信機能、またはそれらの任意の組合せを含み得る。たとえば、通信サブシステム４３１は、セルラー通信と、Ｗｉ−Ｆｉ通信と、Ｂｌｕｅｔｏｏｔｈ通信と、ＧＰＳ通信とを含み得る。ネットワーク４４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワークまたはそれらの任意の組合せなど、有線および／または無線ネットワークを包含し得る。たとえば、ネットワーク４４３ｂは、セルラーネットワーク、Ｗｉ−Ｆｉネットワーク、および／またはニアフィールドネットワークであり得る。電源４１３は、ＵＥ４００の構成要素に交流（ＡＣ）または直流（ＤＣ）電力を提供するように設定され得る。
【００９５】
本明細書で説明される特徴、利益および／または機能は、ＵＥ４００の構成要素のうちの１つにおいて実装されるか、またはＵＥ４００の複数の構成要素にわたって分割され得る。さらに、本明細書で説明される特徴、利益、および／または機能は、ハードウェア、ソフトウェアまたはファームウェアの任意の組合せで実装され得る。一例では、通信サブシステム４３１は、本明細書で説明される構成要素のうちのいずれかを含むように設定され得る。さらに、処理回路要素４０１は、バス４０２上でそのような構成要素のうちのいずれかと通信するように設定され得る。別の例では、そのような構成要素のうちのいずれかは、処理回路要素４０１によって実行されたとき、本明細書で説明される対応する機能を実施する、メモリに記憶されたプログラム命令によって表され得る。別の例では、そのような構成要素のうちのいずれかの機能性は、処理回路要素４０１と通信サブシステム４３１との間で分割され得る。別の例では、そのような構成要素のうちのいずれかの非計算集約的機能が、ソフトウェアまたはファームウェアで実装され得、計算集約的機能がハードウェアで実装され得る。
【００９６】
図５は、いくつかの実施形態によって実装される機能が仮想化され得る、仮想化環境５００を示す概略ブロック図である。本コンテキストでは、仮想化することは、ハードウェアプラットフォーム、記憶デバイスおよびネットワーキングリソースを仮想化することを含み得る、装置またはデバイスの仮想バージョンを作成することを意味する。本明細書で使用される仮想化は、ノード（たとえば、仮想化された基地局または仮想化された無線アクセスノード）に、あるいはデバイス（たとえば、ＵＥ、無線デバイスまたは任意の他のタイプの通信デバイス）またはそのデバイスの構成要素に適用され得、機能性の少なくとも一部分が、（たとえば、１つまたは複数のネットワークにおいて１つまたは複数の物理処理ノード上で実行する、１つまたは複数のアプリケーション、構成要素、機能、仮想マシンまたはコンテナを介して）１つまたは複数の仮想構成要素として実装される、実装形態に関する。
【００９７】
いくつかの実施形態では、本明細書で説明される機能の一部または全部は、ハードウェアノード５３０のうちの１つまたは複数によってホストされる１つまたは複数の仮想環境５００において実装される１つまたは複数の仮想マシンによって実行される、仮想構成要素として実装され得る。さらに、仮想ノードが、無線アクセスノードではないか、または無線コネクティビティ（たとえば、コアネットワークノード）を必要としない実施形態では、ネットワークノードは完全に仮想化され得る。
【００９８】
機能は、本明細書で開示される実施形態のうちのいくつかの特徴、機能、および／または利益のうちのいくつかを実装するように動作可能な、（代替的に、ソフトウェアインスタンス、仮想アプライアンス、ネットワーク機能、仮想ノード、仮想ネットワーク機能などと呼ばれることがある）１つまたは複数のアプリケーション５２０によって実装され得る。アプリケーション５２０は、処理回路要素５６０とメモリ５９０−１とを備えるハードウェア５３０を提供する、仮想化環境５００において稼働される。メモリ５９０−１は、処理回路要素５６０によって実行可能な命令５９５を含んでおり、それにより、アプリケーション５２０は、本明細書で開示される特徴、利益、および／または機能のうちの１つまたは複数を提供するように動作可能である。
【００９９】
仮想化環境５００は、１つまたは複数のプロセッサのセットまたは処理回路要素５６０を備える、汎用または専用のネットワークハードウェアデバイス５３０を備え、１つまたは複数のプロセッサのセットまたは処理回路要素５６０は、商用オフザシェルフ（ＣＯＴＳ：ｃｏｍｍｅｒｃｉａｌ  ｏｆｆ−ｔｈｅ−ｓｈｅｌｆ）プロセッサ、専用の特定用途向け集積回路（ＡＳＩＣ）、あるいは、デジタルもしくはアナログハードウェア構成要素または専用プロセッサを含む任意の他のタイプの処理回路要素であり得る。各ハードウェアデバイスはメモリ５９０−１を備え得、メモリ５９０−１は、処理回路要素５６０によって実行される命令５９５またはソフトウェアを一時的に記憶するための非永続的メモリであり得る。各ハードウェアデバイスは、ネットワークインターフェースカードとしても知られる、１つまたは複数のネットワークインターフェースコントローラ（ＮＩＣ）５７０を備え得、ネットワークインターフェースコントローラ（ＮＩＣ）５７０は物理ネットワークインターフェース５８０を含む。各ハードウェアデバイスは、処理回路要素５６０によって実行可能なソフトウェア５９５および／または命令を記憶した、非一時的、永続的、機械可読記憶媒体５９０−２をも含み得る。ソフトウェア５９５は、１つまたは複数の（ハイパーバイザとも呼ばれる）仮想化レイヤ５５０をインスタンス化するためのソフトウェア、仮想マシン５４０を実行するためのソフトウェア、ならびに、それが、本明細書で説明されるいくつかの実施形態との関係において説明される機能、特徴および／または利益を実行することを可能にする、ソフトウェアを含む、任意のタイプのソフトウェアを含み得る。
【０１００】
仮想マシン５４０は、仮想処理、仮想メモリ、仮想ネットワーキングまたはインターフェース、および仮想記憶域を備え、対応する仮想化レイヤ５５０またはハイパーバイザによって稼働され得る。仮想アプライアンス５２０の事例の異なる実施形態が、仮想マシン５４０のうちの１つまたは複数上で実装され得、実装は異なるやり方で行われ得る。
【０１０１】
動作中に、処理回路要素５６０は、ソフトウェア５９５を実行してハイパーバイザまたは仮想化レイヤ５５０をインスタンス化し、ハイパーバイザまたは仮想化レイヤ５５０は、時々、仮想マシンモニタ（ＶＭＭ）と呼ばれることがある。仮想化レイヤ５５０は、仮想マシン５４０に、ネットワーキングハードウェアのように見える仮想動作プラットフォームを提示し得る。
【０１０２】
図５に示されているように、ハードウェア５３０は、一般的なまたは特定の構成要素をもつスタンドアロンネットワークノードであり得る。ハードウェア５３０は、アンテナ５２２５を備え得、仮想化を介していくつかの機能を実装し得る。代替的に、ハードウェア５３０は、多くのハードウェアノードが協働し、特に、アプリケーション５２０のライフサイクル管理を監督する、管理およびオーケストレーション（ＭＡＮＯ）５１００を介して管理される、（たとえば、データセンタまたは顧客構内機器（ＣＰＥ）の場合のような）ハードウェアのより大きいクラスタの一部であり得る。
【０１０３】
ハードウェアの仮想化は、いくつかのコンテキストにおいて、ネットワーク機能仮想化（ＮＦＶ）と呼ばれる。ＮＦＶは、多くのネットワーク機器タイプを、データセンタおよび顧客構内機器中に位置し得る、業界標準高ボリュームサーバハードウェア、物理スイッチ、および物理記憶域上にコンソリデートするために使用され得る。
【０１０４】
ＮＦＶのコンテキストでは、仮想マシン５４０は、プログラムを、それらのプログラムが、物理的な仮想化されていないマシン上で実行しているかのように稼働する、物理マシンのソフトウェア実装形態であり得る。仮想マシン５４０の各々と、その仮想マシンに専用のハードウェアであろうと、および／またはその仮想マシンによって仮想マシン５４０のうちの他の仮想マシンと共有されるハードウェアであろうと、その仮想マシンを実行するハードウェア５３０のその一部とは、別個の仮想ネットワークエレメント（ＶＮＥ）を形成する。
【０１０５】
さらにＮＦＶのコンテキストにおいて、仮想ネットワーク機能（ＶＮＦ）は、ハードウェアネットワーキングインフラストラクチャ５３０の上の１つまたは複数の仮想マシン５４０において稼働する特定のネットワーク機能をハンドリングすることを担当し、図５中のアプリケーション５２０に対応する。
【０１０６】
いくつかの実施形態では、各々、１つまたは複数の送信機５２２０と１つまたは複数の受信機５２１０とを含む、１つまたは複数の無線ユニット５２００は、１つまたは複数のアンテナ５２２５に結合され得る。無線ユニット５２００は、１つまたは複数の適切なネットワークインターフェースを介してハードウェアノード５３０と直接通信し得、無線アクセスノードまたは基地局など、無線能力をもつ仮想ノードを提供するために仮想構成要素と組み合わせて使用され得る。
【０１０７】
いくつかの実施形態では、何らかのシグナリングが、ハードウェアノード５３０と無線ユニット５２００との間の通信のために代替的に使用され得る制御システム５２３０を使用して、実現され得る。
【０１０８】
図６を参照すると、一実施形態によれば、通信システムが、無線アクセスネットワークなどのアクセスネットワーク６１１とコアネットワーク６１４とを備える、３ＧＰＰタイプセルラーネットワークなどの電気通信ネットワーク６１０を含む。アクセスネットワーク６１１は、ＮＢ、ｅＮＢ、ｇＮＢまたは他のタイプの無線アクセスポイントなど、複数の基地局６１２ａ、６１２ｂ、６１２ｃを備え、各々が、対応するカバレッジエリア６１３ａ、６１３ｂ、６１３ｃを規定する。各基地局６１２ａ、６１２ｂ、６１２ｃは、有線接続または無線接続６１５上でコアネットワーク６１４に接続可能である。カバレッジエリア６１３ｃ中に位置する第１のＵＥ６９１が、対応する基地局６１２ｃに無線で接続するか、または対応する基地局６１２ｃによってページングされるように設定される。カバレッジエリア６１３ａ中の第２のＵＥ６９２が、対応する基地局６１２ａに無線で接続可能である。この例では複数のＵＥ６９１、６９２が示されているが、開示される実施形態は、唯一のＵＥがカバレッジエリア中にある状況、または唯一のＵＥが対応する基地局６１２に接続している状況に等しく適用可能である。
【０１０９】
電気通信ネットワーク６１０は、それ自体、ホストコンピュータ６３０に接続され、ホストコンピュータ６３０は、スタンドアロンサーバ、クラウド実装サーバ、分散型サーバのハードウェアおよび／またはソフトウェアにおいて、あるいはサーバファーム中の処理リソースとして具現され得る。ホストコンピュータ６３０は、サービスプロバイダの所有または制御下にあり得、あるいはサービスプロバイダによってまたはサービスプロバイダに代わって動作され得る。電気通信ネットワーク６１０とホストコンピュータ６３０との間の接続６２１および６２２は、コアネットワーク６１４からホストコンピュータ６３０に直接延び得るか、または随意の中間ネットワーク６２０を介して進み得る。中間ネットワーク６２０は、パブリックネットワーク、プライベートネットワーク、またはホストされたネットワークのうちの１つ、またはそれらのうちの２つ以上の組合せであり得、中間ネットワーク６２０は、もしあれば、バックボーンネットワークまたはインターネットであり得、特に、中間ネットワーク６２０は、２つまたはそれ以上のサブネットワーク（図示せず）を備え得る。
【０１１０】
図６の通信システムは全体として、接続されたＵＥ６９１、６９２とホストコンピュータ６３０との間のコネクティビティを可能にする。コネクティビティは、オーバーザトップ（ＯＴＴ）接続６５０として説明され得る。ホストコンピュータ６３０および接続されたＵＥ６９１、６９２は、アクセスネットワーク６１１、コアネットワーク６１４、任意の中間ネットワーク６２０、および考えられるさらなるインフラストラクチャ（図示せず）を媒介として使用して、ＯＴＴ接続６５０を介して、データおよび／またはシグナリングを通信するように設定される。ＯＴＴ接続６５０は、ＯＴＴ接続６５０が通過する、参加する通信デバイスが、アップリンクおよびダウンリンク通信のルーティングに気づいていないという意味で、透過的であり得る。たとえば、基地局６１２は、接続されたＵＥ６９１にフォワーディング（たとえば、ハンドオーバ）されるべき、ホストコンピュータ６３０から発生したデータを伴う着信ダウンリンク通信の過去のルーティングについて、通知されないことがあるかまたは通知される必要がない。同様に、基地局６１２は、ＵＥ６９１から発生してホストコンピュータ６３０に向かう発信アップリンク通信の将来ルーティングに気づいている必要がない。
【０１１１】
次に、一実施形態による、前の段落において説明されたＵＥ、基地局およびホストコンピュータの例示的な実装形態が、図７を参照しながら説明される。通信システム７００では、ホストコンピュータ７１０が、通信システム７００の異なる通信デバイスのインターフェースとの有線接続または無線接続をセットアップおよび維持するように設定された通信インターフェース７１６を含む、ハードウェア７１５を備える。ホストコンピュータ７１０は、記憶能力および／または処理能力を有し得る、処理回路要素７１８をさらに備える。特に、処理回路要素７１８は、１つまたは複数のプログラマブルプロセッサ、特定用途向け集積回路、フィールドプログラマブルゲートアレイ、または、命令を実行するように適応されたこれらの組合せ（図示せず）を備え得る。ホストコンピュータ７１０は、ホストコンピュータ７１０に記憶されるかまたはホストコンピュータ７１０によってアクセス可能であり、処理回路要素７１８によって実行可能である、ソフトウェア７１１をさらに備える。ソフトウェア７１１は、ホストアプリケーション７１２を含む。ホストアプリケーション７１２は、ＵＥ７３０およびホストコンピュータ７１０において終端するＯＴＴ接続７５０を介して接続するＵＥ７３０など、リモートユーザにサービスを提供するように動作可能であり得る。リモートユーザにサービスを提供する際に、ホストアプリケーション７１２は、ＯＴＴ接続７５０を使用して送信されるユーザデータを提供し得る。
【０１１２】
通信システム７００は、電気通信システム中に提供される基地局７２０をさらに含み、基地局７２０は、基地局７２０がホストコンピュータ７１０およびＵＥ７３０と通信することを可能にするハードウェア７２５を備える。ハードウェア７２５は、通信システム７００の異なる通信デバイスのインターフェースとの有線接続または無線接続をセットアップおよび維持するための通信インターフェース７２６、ならびに基地局７２０によってサーブされるカバレッジエリア（図７に図示せず）中に位置するＵＥ７３０との少なくとも無線接続７７０をセットアップおよび維持するための無線インターフェース７２７を含み得る。通信インターフェース７２６は、ホストコンピュータ７１０への接続７６０を容易にするように設定され得る。接続７６０は直接であり得るか、あるいは、接続７６０は、電気通信システムのコアネットワーク（図７に図示せず）を、および／または電気通信システムの外部の１つまたは複数の中間ネットワークを通過し得る。図示の実施形態では、基地局７２０のハードウェア７２５は、処理回路要素７２８をさらに含み、処理回路要素７２８は、１つまたは複数のプログラマブルプロセッサ、特定用途向け集積回路、フィールドプログラマブルゲートアレイ、または、命令を実行するように適応されたこれらの組合せ（図示せず）を備え得る。基地局７２０は、内部的に記憶されるかまたは外部接続を介してアクセス可能なソフトウェア７２１をさらに有する。
【０１１３】
通信システム７００は、すでに言及されたＵＥ７３０をさらに含む。ＵＥ７３０のハードウェア７３５は、ＵＥ７３０が現在位置するカバレッジエリアをサーブする基地局との無線接続７７０をセットアップおよび維持するように設定された、無線インターフェース７３７を含み得る。ＵＥ７３０のハードウェア７３５は、処理回路要素７３８をさらに含み、処理回路要素７３８は、１つまたは複数のプログラマブルプロセッサ、特定用途向け集積回路、フィールドプログラマブルゲートアレイ、または、命令を実行するように適応されたこれらの組合せ（図示せず）を備え得る。ＵＥ７３０は、ＵＥ７３０に記憶されるかまたはＵＥ７３０によってアクセス可能であり、処理回路要素７３８によって実行可能である、ソフトウェア７３１をさらに備える。ソフトウェア７３１は、クライアントアプリケーション７３２を含む。クライアントアプリケーション７３２は、ホストコンピュータ７１０のサポートのもとに、ＵＥ７３０を介して人間のまたは人間でないユーザにサービスを提供するように動作可能であり得る。ホストコンピュータ７１０では、実行しているホストアプリケーション７１２は、ＵＥ７３０およびホストコンピュータ７１０において終端するＯＴＴ接続７５０を介して、実行しているクライアントアプリケーション７３２と通信し得る。ユーザにサービスを提供する際に、クライアントアプリケーション７３２は、ホストアプリケーション７１２から要求データを受信し、要求データに応答してユーザデータを提供し得る。ＯＴＴ接続７５０は、要求データとユーザデータの両方を転送し得る。クライアントアプリケーション７３２は、クライアントアプリケーション７３２が提供するユーザデータを生成するためにユーザと対話し得る。
【０１１４】
図７に示されているホストコンピュータ７１０、基地局７２０およびＵＥ７３０は、それぞれ、図６のホストコンピュータ６３０、基地局６１２ａ、６１２ｂ、６１２ｃのうちの１つ、およびＵＥ６９１、６９２のうちの１つと同様または同等であり得ることに留意されたい。つまり、これらのエンティティの内部の働きは、図７に示されているようなものであり得、別個に、周囲のネットワークトポロジーは、図６のものであり得る。
【０１１５】
図７では、ＯＴＴ接続７５０は、仲介デバイスとこれらのデバイスを介したメッセージの正確なルーティングとへの明示的言及なしに、基地局７２０を介したホストコンピュータ７１０とＵＥ７３０との間の通信を示すために抽象的に描かれている。ネットワークインフラストラクチャが、ルーティングを決定し得、ネットワークインフラストラクチャは、ＵＥ７３０からまたはホストコンピュータ７１０を動作させるサービスプロバイダから、またはその両方からルーティングを隠すように設定され得る。ＯＴＴ接続７５０がアクティブである間、ネットワークインフラストラクチャは、さらに、ネットワークインフラストラクチャが（たとえば、ネットワークの負荷分散考慮または再設定に基づいて）ルーティングを動的に変更する決定を行い得る。
【０１１６】
ＵＥ７３０と基地局７２０との間の無線接続７７０は、本開示全体にわたって説明される実施形態の教示に従う。様々な実施形態のうちの１つまたは複数は、無線接続７７０が最後のセグメントを形成するＯＴＴ接続７５０を使用して、ＵＥ７３０に提供されるＯＴＴサービスの性能を改善する。より正確には、これらの実施形態の教示は、データレート、レイテンシ、および電力消費を改善し、それにより、低減されたユーザ待ち時間、ファイルサイズに対する緩和された制限、より良い応答性、および延長されたバッテリー寿命の利益を提供し得る。
【０１１７】
１つまたは複数の実施形態が改善する、データレート、レイテンシおよび他のファクタを監視する目的での、測定プロシージャが提供され得る。測定結果の変動に応答して、ホストコンピュータ７１０とＵＥ７３０との間のＯＴＴ接続７５０を再設定するための随意のネットワーク機能性がさらにあり得る。測定プロシージャおよび／またはＯＴＴ接続７５０を再設定するためのネットワーク機能性は、ホストコンピュータ７１０のソフトウェア７１１およびハードウェア７１５でまたはＵＥ７３０のソフトウェア７３１およびハードウェア７３５で、またはその両方で実装され得る。実施形態では、ＯＴＴ接続７５０が通過する通信デバイスにおいてまたはそれに関連して、センサー（図示せず）が展開され得、センサーは、上記で例示された監視された量の値を供給すること、またはソフトウェア７１１、７３１が監視された量を算出または推定し得る他の物理量の値を供給することによって、測定プロシージャに参加し得る。ＯＴＴ接続７５０の再設定は、メッセージフォーマット、再送信セッティング、好ましいルーティングなどを含み得、再設定は、基地局７２０に影響を及ぼす必要がなく、再設定は、基地局７２０に知られていないかまたは知覚不可能であり得る。そのようなプロシージャおよび機能性は、当技術分野において知られ、実施され得る。いくつかの実施形態では、測定は、スループット、伝搬時間、レイテンシなどのホストコンピュータ７１０の測定を容易にするプロプライエタリＵＥシグナリングを伴い得る。測定は、ソフトウェア７１１および７３１が、ソフトウェア７１１および７３１が伝搬時間、エラーなどを監視する間にＯＴＴ接続７５０を使用して、メッセージ、特に空のまたは「ダミー」メッセージが送信されることを引き起こすことにおいて、実装され得る。
【０１１８】
図８は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図８への図面参照のみがこのセクションに含まれる。ステップ８１０において、ホストコンピュータはユーザデータを提供する。ステップ８１０の（随意であり得る）サブステップ８１１において、ホストコンピュータは、ホストアプリケーションを実行することによって、ユーザデータを提供する。ステップ８２０において、ホストコンピュータは、ＵＥにユーザデータを搬送する送信を始動する。（随意であり得る）ステップ８３０において、基地局は、本開示全体にわたって説明される実施形態の教示に従って、ホストコンピュータが始動した送信において搬送されたユーザデータをＵＥに送信する。（また、随意であり得る）ステップ８４０において、ＵＥは、ホストコンピュータによって実行されるホストアプリケーションに関連付けられたクライアントアプリケーションを実行する。
【０１１９】
図９は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図９への図面参照のみがこのセクションに含まれる。本方法のステップ９１０において、ホストコンピュータはユーザデータを提供する。随意のサブステップ（図示せず）において、ホストコンピュータは、ホストアプリケーションを実行することによって、ユーザデータを提供する。ステップ９２０において、ホストコンピュータは、ＵＥにユーザデータを搬送する送信を始動する。送信は、本開示全体にわたって説明される実施形態の教示に従って、基地局を介して進み得る。（随意であり得る）ステップ９３０において、ＵＥは、送信において搬送されたユーザデータを受信する。
【０１２０】
図１０は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１０への図面参照のみがこのセクションに含まれる。（随意であり得る）ステップ１０１０において、ＵＥは、ホストコンピュータによって提供された入力データを受信する。追加または代替として、ステップ１０２０において、ＵＥはユーザデータを提供する。ステップ１０２０の（随意であり得る）サブステップ１０２１において、ＵＥは、クライアントアプリケーションを実行することによって、ユーザデータを提供する。ステップ１０１０の（随意であり得る）サブステップ１０１１において、ＵＥは、ホストコンピュータによって提供された受信された入力データに反応してユーザデータを提供する、クライアントアプリケーションを実行する。ユーザデータを提供する際に、実行されたクライアントアプリケーションは、ユーザから受信されたユーザ入力をさらに考慮し得る。ユーザデータが提供された特定の様式にかかわらず、ＵＥは、（随意であり得る）サブステップ１０３０において、ホストコンピュータへのユーザデータの送信を始動する。本方法のステップ１０４０において、ホストコンピュータは、本開示全体にわたって説明される実施形態の教示に従って、ＵＥから送信されたユーザデータを受信する。
【０１２１】
図１１は、一実施形態による、通信システムにおいて実装される方法を示すフローチャートである。通信システムは、図６および図７を参照しながら説明されたものであり得る、ホストコンピュータと基地局とＵＥとを含む。本開示の簡単のために、図１１への図面参照のみがこのセクションに含まれる。（随意であり得る）ステップ１１１０において、本開示全体にわたって説明される実施形態の教示に従って、基地局は、ＵＥからユーザデータを受信する。（随意であり得る）ステップ１１２０において、基地局は、ホストコンピュータへの、受信されたユーザデータの送信を始動する。（随意であり得る）ステップ１１３０において、ホストコンピュータは、基地局によって始動された送信において搬送されたユーザデータを受信する。
【０１２２】
本明細書で開示される任意の適切なステップ、方法、特徴、機能、または利益は、１つまたは複数の仮想装置の１つまたは複数の機能ユニットまたはモジュールを通して実施され得る。各仮想装置は、いくつかのこれらの機能ユニットを備え得る。これらの機能ユニットは、１つまたは複数のマイクロプロセッサまたはマイクロコントローラを含み得る、処理回路要素、ならびに、デジタル信号プロセッサ（ＤＳＰ）、専用デジタル論理などを含み得る、他のデジタルハードウェアを介して実装され得る。処理回路要素は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリに記憶されたプログラムコードを実行するように設定され得る。メモリに記憶されたプログラムコードは、１つまたは複数の電気通信および／またはデータ通信プロトコルを実行するためのプログラム命令、ならびに本明細書で説明される技法のうちの１つまたは複数を行うための命令を含む。いくつかの実装形態では、処理回路要素は、それぞれの機能ユニットに、本開示の１つまたは複数の実施形態による、対応する機能を実施させるために使用され得る。
【０１２３】
以下の略語のうちの少なくともいくつかが本開示で使用され得る。略語間の不整合がある場合、上記でそれがどのように使用されるかが選好されるべきである。以下で複数回リストされる場合、最初のリスティングが（１つまたは複数の）後続のリスティングよりも選好されるべきである。
・３ＧＰＰ    第３世代パートナーシッププロジェクト
・５Ｇ    第５世代
・ＡＰ    アクセスポイント
・ＡＳＩＣ    特定用途向け集積回路
・ＢＳＣ    基地局コントローラ
・ＢＴＳ    基地トランシーバ局
・ＣＤ    コンパクトディスク
・ＣＯＴＳ    商用オフザシェルフ
・ＣＰＥ    顧客構内機器
・ＣＰＵ    中央処理ユニット
・Ｄ２Ｄ    デバイスツーデバイス
・ＤＡＳ    分散アンテナシステム
・ＤＳＰ    デジタル信号プロセッサ
・ＤＶＤ    デジタルビデオディスク
・ｅＮＢ    拡張またはエボルブドノードＢ
・Ｅ−ＳＭＬＣ    エボルブドサービングモバイルロケーションセンタ
・ＦＰＧＡ    フィールドプログラマブルゲートアレイ
・ＧＨｚ    ギガヘルツ
・ｇＮＢ    新無線基地局
・ＧＳＭ    モバイル通信用グローバルシステム
・ＩｏＴ    モノのインターネット
・ＩＰ    インターネットプロトコル
・ＬＥＥ    ラップトップ埋込み機器
・ＬＭＥ    ラップトップ搭載機器
・ＬＴＥ    Ｌｏｎｇ  Ｔｅｒｍ  Ｅｖｏｌｕｔｉｏｎ
・Ｍ２Ｍ    マシンツーマシン
・ＭＡＮＯ    管理およびオーケストレーション
・ＭＣＥ    マルチセル／マルチキャスト協調エンティティ
・ＭＤＴ    ドライブテスト最小化
・ＭＩＭＯ    多入力多出力
・ＭＭＥ    モビリティ管理エンティティ
・ＭＳＣ    モバイルスイッチングセンタ
・ＭＳＲ    マルチスタンダード無線
・ＭＴＣ    マシン型通信
・ＮＢ−ＩｏＴ    狭帯域モノのインターネット
・ＮＦＶ    ネットワーク機能仮想化
・ＮＩＣ    ネットワークインターフェースコントローラ
・ＮＲ    新無線
・Ｏ＆Ｍ    運用および保守
・ＯＳＳ    運用サポートシステム
・ＯＴＴ    オーバーザトップ
・ＰＤＡ    携帯情報端末
・Ｐ−ＧＷ    パケットデータネットワークゲートウェイ
・ＲＡＭ    ランダムアクセスメモリ
・ＲＡＮ    無線アクセスネットワーク
・ＲＡＴ    無線アクセス技術
・ＲＦ    無線周波数
・ＲＮＣ    無線ネットワークコントローラ
・ＲＯＭ    読取り専用メモリ
・ＲＲＨ    リモート無線ヘッド
・ＲＲＵ    リモートラジオユニット
・ＳＣＥＦ    サービス能力公開機能
・ＳＯＣ    システムオンチップ
・ＳＯＮ    自己組織化ネットワーク
・ＵＥ    ユーザ機器
・ＵＳＢ    ユニバーサルシリアルバス
・Ｖ２Ｉ    ｖｅｈｉｃｌｅ−ｔｏ−ｉｎｆｒａｓｔｒｕｃｔｕｒｅ
・Ｖ２Ｖ    ｖｅｈｉｃｌｅ−ｔｏ−ｖｅｈｉｃｌｅ
・Ｖ２Ｘ    Ｖｅｈｉｃｌｅ−ｔｏ−Ｅｖｅｒｙｔｈｉｎｇ
・ＶＭＭ    仮想マシンモニタ
・ＶＮＥ    仮想ネットワークエレメント
・ＶＮＦ    仮想ネットワーク機能
・ＶｏＩＰ    ボイスオーバーインターネットプロトコル
・ＷＣＤＭＡ    広帯域符号分割多元接続
・ＷｉＭａｘ    ワールドワイドインターオペラビリティフォーマイクロウェーブアクセス
【０１２４】
当業者は、本開示の実施形態に対する改善および変更を認識されよう。すべてのそのような改善および変更は、本明細書で開示される概念の範囲内で考慮される。
【図１】
2021514160.tif 000027
【図２】
2021514160.tif 000028
【図３】
2021514160.tif 000029
【図４】
2021514160.tif 000030
【図５】
2021514160.tif 000031
【図６】
2021514160.tif 000032
【図７】
2021514160.tif 000033
【図８】
2021514160.tif 000034
【図９】
2021514160.tif 000035
【図１０】
2021514160.tif 000036
【図１１】
2021514160.tif 000037
【国際調査報告】
2021514160.tif 000038
2021514160.tif 000039
2021514160.tif 000040
2021514160.tif 000041